(57)【要約】【課題】３以上の項目に含まれる各項目間における要素間の関連を分かり易く提示可能な技術を提供する。【解決手段】複数の項目に含まれる各項目に１以上の要素が属し、且つ複数の要素の組合せを各々示す複数通りの組合せ情報を含んだ関連情報を準備しておく。関連情報を構成する全関連情報、又は一部関連情報に基づき、３以上の項目に対して設定された項目の順序を示す情報に従って、該３以上の項目を各々可視的に示す３以上の項目表示要素が空間順次に並べられるともに、該３以上の項目に含まれる各項目に属する１以上の要素を各々示す１以上の従属表示要素が、対応する３以上の項目表示要素との関係が可視的に認識可能な態様で空間順次に並べられ、且つ相互に隣り合う順序の各項目間で、要素間の関連が可視的に認識可能に示された表示がなされる。そして、ユーザーによる所定操作により、設定順序情報が変更される。【選択図】図１１
2008269041.tif 000002
【特許請求の範囲】
【請求項１】
データベースシステムであって、
複数の項目に含まれる各項目に少なくとも１以上の要素が属して構成され、且つ前記複数の項目に対してそれぞれ属する複数の要素の組合せを各々示す複数通りの組合せ情報を含んで構成された関連情報を記憶する記憶手段と、
前記関連情報を構成する全関連情報、又は一部関連情報に基づき、前記複数の項目に含まれる３以上の項目に対して設定された項目の順序を示す設定順序情報に従って、該３以上の項目をそれぞれ可視的に示す３以上の項目表示要素が、空間順次に並べられるともに、該３以上の項目に含まれる各項目に属する１以上の要素をそれぞれ示す１以上の従属表示要素が、対応する前記３以上の項目表示要素との関係が可視的に認識可能な態様で空間順次に並べられ、且つ前記設定順序情報に係る相互に隣り合う順序の各項目間で、前記組合せ情報に係る要素間の関連が可視的に認識可能な関連表示要素として付与された要素一覧表示を、表示部において出力させる表示制御手段と、
前記表示部に前記要素一覧表示が出力された状態で、ユーザーによる所定操作に応答して、前記設定順序情報を、第１の順序情報から、前記複数の項目に含まれる３以上の項目に対して該第１の順序情報とは異なる項目の順序を示す第２の順序情報に変更する順序変更手段と、
を備えることを特徴とするデータベースシステム。
【請求項２】
請求項１に記載のデータベースシステムであって、
前記出力制御手段が、
前記順序変更手段によって前記設定順序情報が前記第１の順序情報から前記第２の順序情報に変更されたことに応答して、前記関連情報を構成する全関連情報、又は一部関連情報に基づき、前記第２の順序情報に従って、前記３以上の項目をそれぞれ可視的に示す３以上の項目表示要素が、空間順次に並べられるともに、該３以上の項目に含まれる各項目に属する１以上の要素をそれぞれ示す１以上の従属表示要素が、対応する前記３以上の項目表示要素との関係が可視的に認識可能な態様で空間順次に並べられ、且つ前記第２の順序情報に係る相互に隣り合う順序の各項目間で、前記組合せ情報に係る要素間の関連が可視的に認識可能な関連表示要素として付与された変更後の要素一覧表示を、前記表示部において出力させることを特徴とするデータベースシステム。
【請求項３】
請求項２に記載のデータベースシステムであって、
前記表示部に前記要素一覧表示が出力された状態で、ユーザーによる選択操作に応答して、前記要素一覧表示に含まれる各項目に対し、それぞれ１以上の要素を所定の文章モデルに沿った文章情報を構成する文章構成要素として指定する構成要素指定手段と、
前記構成要素指定手段によって各項目に対して指定された文章構成要素に基づいて、前記所定の文章モデルに沿った新規な文章情報を生成する文章生成手段と、
を更に備えることを特徴とするデータベースシステム。
【請求項４】
請求項３に記載のデータベースシステムであって、
前記記憶手段が、
前記第１の順序情報と第１の文章モデルとを関連付けるとともに、前記第２の順序情報と第２の文章モデルとを関連付けた文章モデル情報を記憶し、
前記データベースシステムが、
前記順序変更手段によって前記設定順序情報が前記第１の順序情報から前記第２の順序情報に変更されたことに応答して、前記文章モデル情報に基づき、前記所定の文章モデルを、前記第１の文章モデルから前記第２の文章モデルに変更する文章モデル変更手段、
を更に備えることを特徴とするデータベースシステム。
【請求項５】
請求項３又は請求項４に記載のデータベースシステムであって、
前記文章モデル情報が、
前記設定順序情報で示される最初の順序の項目に属する要素が、他の順序の項目に属する要素よりも強調される先頭強調文章モデルを示した情報を含むことを特徴とするデータベースシステム。
【請求項６】
請求項５に記載のデータベースシステムであって、
前記文章モデル情報が、
前記先頭強調文章モデルを示した情報とは異なり、前記設定順序情報で示される最初の順序の項目に属する要素が、他の順序の項目に属する要素よりも強調されない先頭非強調文章モデルを示した情報を含み、
前記データベースシステムが、
前記表示部に前記要素一覧表示が出力された状態で、ユーザーによる特定操作に応答して、前記所定の文章モデルを、前記先頭非強調文章モデルから前記先頭強調文章モデルに変更する強調要素変更手段、
を更に備えることを特徴とするデータベースシステム。
【請求項７】
請求項１から請求項６のいずれかに記載のデータベースシステムであって、
前記記憶手段が、
前記順序変更手段によって前記設定順序情報が前記第１の順序情報から前記第２の順序情報に変更されたことに応答して、前記第２の順序情報を前記設定順序情報の初期情報として記憶することを特徴とするデータベースシステム。
【請求項８】
データベースシステムであって、
複数の項目に含まれる各項目に少なくとも１以上の要素が属して構成され、且つ前記複数の項目に対してそれぞれ属する複数の要素の組合せを各々示す複数通りの組合せ情報を含んで構成された関連情報を記憶する記憶手段と、
前記関連情報を構成する全関連情報、又は一部関連情報に基づき、前記複数の項目に含まれる３以上の項目に対して設定された項目の順序を示す設定順序情報に従って、該３以上の項目をそれぞれ可視的に示す３以上の項目表示要素が、空間順次に並べられるともに、該３以上の項目に含まれる各項目に属する１以上の要素をそれぞれ示す１以上の従属表示要素が、対応する前記３以上の項目表示要素との関係が可視的に認識可能な態様で空間順次に並べられ、且つ前記設定順序情報に係る相互に隣り合う順序の各項目間で、前記組合せ情報に係る要素間の関連が可視的に認識可能な関連表示要素として付与された要素一覧表示を、出力する第１の表示手段と、
前記表示部に前記要素一覧表示が出力された状態で、ユーザーによる所定操作に応答して、前記要素一覧表示に含まれた１つの従属表示要素を、基準表示要素として指定する基準表示要素指定手段と、
前記全関連情報、又は前記一部関連情報に基づき、前記要素一覧表示とは異なり、且つ前記基準表示要素が示す１つの要素と前記複数通りの組合せ情報において関連付けられた１以上の要素であって、前記設定順序情報で示される項目の順序において前記基準表示要素が示す要素が属する項目とは隣り合わない順序の非隣接項目に属する１以上の要素を各々示す１以上の従属表示要素を、該非隣接項目を示す非隣接項目表示要素との関連が可視的に認識可能な態様で示す要素個別表示を、出力する第２の表示手段と、
を備えることを特徴とするデータベースシステム。
【請求項９】
請求項８に記載のデータベースシステムであって、
前記第１及び第２の表示手段によって前記要素一覧表示と前記要素個別表示とが出力された状態で、ユーザーによる選択操作に応答して、前記要素一覧表示に含まれる各項目に対し、それぞれ１以上の要素を所定の文章モデルに沿った文章情報を構成する文章構成要素として指定する構成要素指定手段と、
前記構成要素指定手段によって各項目に対して指定された文章構成要素に基づいて、前記所定の文章モデルに沿った新規な文章情報を生成する文章生成手段と、
を更に備えることを特徴とするデータベースシステム。
【請求項１０】
請求項９に記載のデータベースシステムであって、
前記構成要素指定手段が、
前記要素個別表示において、前記１以上の従属表示要素のうちの少なくとも１つの従属表示要素が選択されたことに応答して、該少なくとも１つの従属表示要素を、前記所定の文章モデルに沿った文章情報を構成する少なくとも１つの文章構成要素として指定することを特徴とするデータベースシステム。
【請求項１１】
請求項１０に記載のデータベースシステムであって、
前記非隣接項目が、複数存在し、
前記第２の表示手段が、
各前記非隣接項目に属する１以上の要素を各々示す１以上の従属表示要素を、該各非隣接項目を示す各非隣接項目表示要素との関連が可視的に認識可能な態様でそれぞれ示す複数の要素個別表示を、出力するとともに、
前記複数の要素個別表示のうちの１つの要素個別表示において、該１つの要素個別表示に含まれる１以上の従属表示要素のうちの少なくとも１つの従属表示要素が選択されたことに応答して、前記全関連情報、又は前記一部関連情報に基づき、前記複数の要素個別表示のうちの前記１つの要素個別表示とは異なる１以上の要素個別表示において、該１つの要素個別表示において選択された少なくとも１つの従属表示要素と関連しない従属表示要素を削除することを特徴とするデータベースシステム。
【請求項１２】
請求項３、及び請求項９から請求項１１のいずれかに記載のデータベースシステムであって、
前記文章情報が、
読影レポートの所見文の情報を含み、
前記複数の項目が、
部位、所見、疾患名を含むことを特徴とするデータベースシステム。
【請求項１３】
請求項１から請求項１２のいずれかに記載のデータベースシステムであって、
前記要素一覧表示において、ユーザーによる１以上の従属表示要素の指定に応答して、前記全関連情報、又は前記一部関連情報に基づき、該少なくとも１以上の従属表示要素と該１以上の従属表示要素とは異なる他の従属表示要素との関連を示す関連表示要素の表示態様を、残余の関連表示要素とは可視的に区別可能な態様に変更する表示態様変更手段、
を更に備えることを特徴とするデータベースシステム。
【請求項１４】
請求項１から請求項１３のいずれかに記載のデータベースシステムであって、
複数の文章情報を取得する取得手段と、
前記取得手段によって取得された複数の文章情報を対象として、言語処理を含む所定の情報処理を施すことで、該各文章情報を構成する項目毎に１以上の要素を抽出して、前記関連情報を生成する関連情報生成手段、
を更に備えることを特徴とするデータベースシステム。
【請求項１５】
請求項１４に記載のデータベースシステムであって、
前記言語処理が、
機械学習によって得られた情報に基づいた処理を含むことを特徴とするデータベースシステム。
【請求項１６】
データベースシステムに含まれるコンピュータによって実行されることにより、前記データベースシステムを、請求項１から請求項１５のいずれかに記載のデータベースシステムとして機能させるプログラム。
【発明の詳細な説明】
【技術分野】
【０００１】
本発明は、データベースシステムに関する。
【背景技術】
【０００２】
過去に蓄積された知識を利用して報告書等の各種レポートを作成する場合、従来は、何らかの方法で過去のレポートを検索してその内容を参照する必要があった。過去のレポートがテンプレート等を用いて構造化されている場合は検索したレポートの全文を参照する必要はないが、レポート間の関係等については膨大なデータを参照しながら見出していく必要があった。
【０００３】
ところで、例えば、医療機関において、いわゆる読影レポートを作成する際には、フリーフォーマットによって入力を行うと、放射線科の医師個人の癖に依って、略語の使用や言い回し等が大きく異なる。したがって、他の医師にとっては読み辛く、同じ症例についての読影レポートを作成する際に、他の放射線科の医師が作成した読影レポートを参考にして読影レポートを作成するといった作業は困難である。
【０００４】
このような問題は、読影レポートを作成する場合に限られず、各種レポートを作成する場合や、カテゴリ間のメンバ同士の関係を表示させる場合等、異なる分類項目に属する要素間の関係を表示させて参照する場合一般に共通する。
【０００５】
そこで、３つのカテゴリの各カテゴリ間における要素の関係を分かり易く表示する技術が提案されている（例えば、特許文献１、２）。この特許文献１、２で提案されている技術は、３つのカテゴリの各要素を、各カテゴリに対応する径の異なる３つの同心円上に配置し、第１のカテゴリと第２のカテゴリとの間における要素間の関連、及び第２のカテゴリと第３のカテゴリとの間における要素間の関連を線で表す技術である。
【０００６】
【特許文献１】特開２００３−２７１６５９号公報
【特許文献２】特開２００３−２８１３２０号公報
【発明の開示】
【発明が解決しようとする課題】
【０００７】
しかしながら、上記特許文献１、２で提案された技術では、隣り合うカテゴリ間でしか要素間の関連が示されないため、隣り合わないカテゴリ間における要素間の関連が分かり難いといった問題を生じる。
【０００８】
本発明は、上記課題に鑑みてなされたものであり、３以上の項目に含まれる各項目間における要素間の関連を分かり易く提示可能な技術を提供することを目的とする。
【課題を解決するための手段】
【０００９】
上記の課題を解決するために、請求項１の発明は、データベースシステムであって、複数の項目に含まれる各項目に少なくとも１以上の要素が属して構成され、且つ前記複数の項目に対してそれぞれ属する複数の要素の組合せを各々示す複数通りの組合せ情報を含んで構成された関連情報を記憶する記憶手段と、前記関連情報を構成する全関連情報、又は一部関連情報に基づき、前記複数の項目に含まれる３以上の項目に対して設定された項目の順序を示す設定順序情報に従って、該３以上の項目をそれぞれ可視的に示す３以上の項目表示要素が、空間順次に並べられるともに、該３以上の項目に含まれる各項目に属する１以上の要素をそれぞれ示す１以上の従属表示要素が、対応する前記３以上の項目表示要素との関係が可視的に認識可能な態様で空間順次に並べられ、且つ前記設定順序情報に係る相互に隣り合う順序の各項目間で、前記組合せ情報に係る要素間の関連が可視的に認識可能な関連表示要素として付与された要素一覧表示を、表示部において出力させる表示制御手段と、前記表示部に前記要素一覧表示が出力された状態で、ユーザーによる所定操作に応答して、前記設定順序情報を、第１の順序情報から、前記複数の項目に含まれる３以上の項目に対して該第１の順序情報とは異なる項目の順序を示す第２の順序情報に変更する順序変更手段とを備えることを特徴とする。
【００１０】
また、請求項２の発明は、請求項１に記載のデータベースシステムであって、前記出力制御手段が、前記順序変更手段によって前記設定順序情報が前記第１の順序情報から前記第２の順序情報に変更されたことに応答して、前記関連情報を構成する全関連情報、又は一部関連情報に基づき、前記第２の順序情報に従って、前記３以上の項目をそれぞれ可視的に示す３以上の項目表示要素が、空間順次に並べられるともに、該３以上の項目に含まれる各項目に属する１以上の要素をそれぞれ示す１以上の従属表示要素が、対応する前記３以上の項目表示要素との関係が可視的に認識可能な態様で空間順次に並べられ、且つ前記第２の順序情報に係る相互に隣り合う順序の各項目間で、前記組合せ情報に係る要素間の関連が可視的に認識可能な関連表示要素として付与された変更後の要素一覧表示を、前記表示部において出力させることを特徴とする。
【００１１】
また、請求項３の発明は、請求項２に記載のデータベースシステムであって、前記表示部に前記要素一覧表示が出力された状態で、ユーザーによる選択操作に応答して、前記要素一覧表示に含まれる各項目に対し、それぞれ１以上の要素を所定の文章モデルに沿った文章情報を構成する文章構成要素として指定する構成要素指定手段と、前記構成要素指定手段によって各項目に対して指定された文章構成要素に基づいて、前記所定の文章モデルに沿った新規な文章情報を生成する文章生成手段とを更に備えることを特徴とする。
【００１２】
また、請求項４の発明は、請求項３に記載のデータベースシステムであって、前記記憶手段が、前記第１の順序情報と第１の文章モデルとを関連付けるとともに、前記第２の順序情報と第２の文章モデルとを関連付けた文章モデル情報を記憶し、前記データベースシステムが、前記順序変更手段によって前記設定順序情報が前記第１の順序情報から前記第２の順序情報に変更されたことに応答して、前記文章モデル情報に基づき、前記所定の文章モデルを、前記第１の文章モデルから前記第２の文章モデルに変更する文章モデル変更手段を更に備えることを特徴とする。
【００１３】
また、請求項５の発明は、請求項３又は請求項４に記載のデータベースシステムであって、前記文章モデル情報が、前記設定順序情報で示される最初の順序の項目に属する要素が、他の順序の項目に属する要素よりも強調される先頭強調文章モデルを示した情報を含むことを特徴とする。
【００１４】
また、請求項６の発明は、請求項５に記載のデータベースシステムであって、前記文章モデル情報が、前記先頭強調文章モデルを示した情報とは異なり、前記設定順序情報で示される最初の順序の項目に属する要素が、他の順序の項目に属する要素よりも強調されない先頭非強調文章モデルを示した情報を含み、前記データベースシステムが、前記表示部に前記要素一覧表示が出力された状態で、ユーザーによる特定操作に応答して、前記所定の文章モデルを、前記先頭非強調文章モデルから前記先頭強調文章モデルに変更する強調要素変更手段を更に備えることを特徴とする。
【００１５】
また、請求項７の発明は、請求項１から請求項６のいずれかに記載のデータベースシステムであって、前記記憶手段が、前記順序変更手段によって前記設定順序情報が前記第１の順序情報から前記第２の順序情報に変更されたことに応答して、前記第２の順序情報を前記設定順序情報の初期情報として記憶することを特徴とする。
【００１６】
また、請求項８の発明は、データベースシステムであって、複数の項目に含まれる各項目に少なくとも１以上の要素が属して構成され、且つ前記複数の項目に対してそれぞれ属する複数の要素の組合せを各々示す複数通りの組合せ情報を含んで構成された関連情報を記憶する記憶手段と、前記関連情報を構成する全関連情報、又は一部関連情報に基づき、前記複数の項目に含まれる３以上の項目に対して設定された項目の順序を示す設定順序情報に従って、該３以上の項目をそれぞれ可視的に示す３以上の項目表示要素が、空間順次に並べられるともに、該３以上の項目に含まれる各項目に属する１以上の要素をそれぞれ示す１以上の従属表示要素が、対応する前記３以上の項目表示要素との関係が可視的に認識可能な態様で空間順次に並べられ、且つ前記設定順序情報に係る相互に隣り合う順序の各項目間で、前記組合せ情報に係る要素間の関連が可視的に認識可能な関連表示要素として付与された要素一覧表示を、出力する第１の表示手段と、前記表示部に前記要素一覧表示が出力された状態で、ユーザーによる所定操作に応答して、前記要素一覧表示に含まれた１つの従属表示要素を、基準表示要素として指定する基準表示要素指定手段と、前記全関連情報、又は前記一部関連情報に基づき、前記要素一覧表示とは異なり、且つ前記基準表示要素が示す１つの要素と前記複数通りの組合せ情報において関連付けられた１以上の要素であって、前記設定順序情報で示される項目の順序において前記基準表示要素が示す要素が属する項目とは隣り合わない順序の非隣接項目に属する１以上の要素を各々示す１以上の従属表示要素を、該非隣接項目を示す非隣接項目表示要素との関連が可視的に認識可能な態様で示す要素個別表示を、出力する第２の表示手段とを備えることを特徴とする。
【００１７】
また、請求項９の発明は、請求項８に記載のデータベースシステムであって、前記第１及び第２の表示手段によって前記要素一覧表示と前記要素個別表示とが出力された状態で、ユーザーによる選択操作に応答して、前記要素一覧表示に含まれる各項目に対し、それぞれ１以上の要素を所定の文章モデルに沿った文章情報を構成する文章構成要素として指定する構成要素指定手段と、前記構成要素指定手段によって各項目に対して指定された文章構成要素に基づいて、前記所定の文章モデルに沿った新規な文章情報を生成する文章生成手段とを更に備えることを特徴とする。
【００１８】
また、請求項１０の発明は、請求項９に記載のデータベースシステムであって、前記構成要素指定手段が、前記要素個別表示において、前記１以上の従属表示要素のうちの少なくとも１つの従属表示要素が選択されたことに応答して、該少なくとも１つの従属表示要素を、前記所定の文章モデルに沿った文章情報を構成する少なくとも１つの文章構成要素として指定することを特徴とする。
【００１９】
また、請求項１１の発明は、請求項１０に記載のデータベースシステムであって、前記非隣接項目が、複数存在し、前記第２の表示手段が、各前記非隣接項目に属する１以上の要素を各々示す１以上の従属表示要素を、該各非隣接項目を示す各非隣接項目表示要素との関連が可視的に認識可能な態様でそれぞれ示す複数の要素個別表示を、出力するとともに、前記複数の要素個別表示のうちの１つの要素個別表示において、該１つの要素個別表示に含まれる１以上の従属表示要素のうちの少なくとも１つの従属表示要素が選択されたことに応答して、前記全関連情報、又は前記一部関連情報に基づき、前記複数の要素個別表示のうちの前記１つの要素個別表示とは異なる１以上の要素個別表示において、該１つの要素個別表示において選択された少なくとも１つの従属表示要素と関連しない従属表示要素を削除することを特徴とする。
【００２０】
また、請求項１２の発明は、請求項３、及び請求項９から請求項１１のいずれかに記載のデータベースシステムであって、前記文章情報が、読影レポートの所見文の情報を含み、前記複数の項目が、部位、所見、疾患名を含むことを特徴とする。
【００２１】
また、請求項１３の発明は、請求項１から請求項１２のいずれかに記載のデータベースシステムであって、前記要素一覧表示において、ユーザーによる１以上の従属表示要素の指定に応答して、前記全関連情報、又は前記一部関連情報に基づき、該少なくとも１以上の従属表示要素と該１以上の従属表示要素とは異なる他の従属表示要素との関連を示す関連表示要素の表示態様を、残余の関連表示要素とは可視的に区別可能な態様に変更する表示態様変更手段を更に備えることを特徴とする。
【００２２】
また、請求項１４の発明は、請求項１から請求項１３のいずれかに記載のデータベースシステムであって、複数の文章情報を取得する取得手段と、前記取得手段によって取得された複数の文章情報を対象として、言語処理を含む所定の情報処理を施すことで、該各文章情報を構成する項目毎に１以上の要素を抽出して、前記関連情報を生成する関連情報生成手段を更に備えることを特徴とする。
【００２３】
また、請求項１５の発明は、請求項１４に記載のデータベースシステムであって、前記言語処理が、機械学習によって得られた情報に基づいた処理を含むことを特徴とする。
【００２４】
また、請求項１６の発明は、データベースシステムに含まれるコンピュータによって実行されることにより、前記データベースシステムを、請求項１から請求項１５のいずれかに記載のデータベースシステムとして機能させるプログラムである。
【発明の効果】
【００２５】
請求項１から請求項７のいずれに記載の発明によっても、３以上の項目について所定の順序に沿って空間順次に隣接する項目間で要素間の関連を表示する場合に、空間順次に隣接する項目の順序の入れ換えが可能であるため、３以上の項目に含まれる各項目間における要素間の関連が分かり易く提示される。
【００２６】
また、請求項３に記載の発明によれば、３以上の項目について所定の順序に沿って空間順次に隣接する項目間で要素間の関連が表示された状態で、各項目に対してそれぞれ１以上の要素が指定されると、所定の文章モデルに沿った新規な文章情報が生成されるため、文章の作成時に、３以上の項目に含まれる各項目間における要素間の関連を参照することで、容易かつ適正に文章を作成することができる。
【００２７】
また、請求項４に記載の発明によれば、空間順次に隣接する項目の順序が入れ換えられると、文章モデルにおける項目の順序も入れ替わるため、文章の状態をユーザーが容易に想定可能な態様で、３以上の項目に含まれる各項目間における要素間の関連を分かり易く表示させることができる。
【００２８】
また、請求項５及び請求項６のいずれに記載の発明によっても、最初の順序の項目に属する要素が、他の順序の項目に属する要素よりも強調される文章モデルを採用することで、微妙な文章表現の違いを表すことができる。
【００２９】
また、請求項７に記載の発明によれば、空間順次に隣接する項目の順序が入れ換えられると、次に３以上の項目について空間順次に隣接する項目間で要素間の関連を表示する場合にも、入れ換えられた後の項目の順序に従って表示が行われるため、前回と同じ視点で項目間における要素間の関連を容易に把握することができる。
【００３０】
また、請求項８に記載の発明によれば、３以上の項目について所定の順序に沿って空間順次に隣接する項目間で要素間の関連を表示する場合に、１つの要素を指定すると、その要素が属する項目とは空間順次に隣接しない項目について、指定された要素と関連付けられた要素が別途表示されるため、３以上の項目に含まれる各項目間における要素間の関連が分かり易く提示される。
【００３１】
また、請求項９に記載の発明によれば、３以上の項目について所定の順序に沿って空間順次に隣接する項目間における要素間の関連と、指定された１つの要素に対して、隣接しない順序の項目に属し且つ関連付けられた要素とが表示された状態で、各項目に対してそれぞれ１以上の要素が指定されると、所定の文章モデルに沿った新規な文章情報が生成されるため、文章の作成時に、３以上の項目に含まれる各項目間における要素間の関連を参照することで、容易かつ適正に文章を作成することができる。
【００３２】
また、請求項１０に記載の発明によれば、指定された１つの要素に対して隣接しない順序の項目に属し且つ関連付けられた要素を示す別途の表示において、少なくとも１つの要素を、所定の文章モデルに沿った新規な文章情報を構成する要素として指定することができるため、更に容易かつ適正に文章を作成することができる。
【００３３】
また、請求項１１に記載の発明によれば、指定された１つの要素に対して隣接しない順序の項目に属し且つ関連付けられた要素をそれぞれ示す複数の別途の表示のうち、１つの別途の表示で要素が選択されると、他の別途の表示で示される要素が絞り込まれるため、更に過去の知識を利用しつつ適正な文章を作成することができる。
【００３４】
また、請求項１２に記載の発明によれば、読影レポートの作成が容易かつ適正に可能となる。
【００３５】
また、請求項１３に記載の発明によれば、３以上の項目について所定の順序に沿って空間順次に隣接する項目間で要素間の関連を示す表示において、１つの要素を指定すると、その１つの要素と関連する他の要素との関連が他の関連とは区別可能な態様で表示されるため、ユーザーにとって要素間の関連がより把握し易くなる。
【００３６】
また、請求項１４に記載の発明によれば、文章情報に対して言語処理を含む所定の情報処理を施すことで文章情報から各項目に属する１以上の要素を抽出して、関連情報を生成するような構成を採用することにより、関連情報を容易に取得することができる。
【００３７】
また、請求項１５に記載の発明によれば、機械学習によって得られた情報に基づいて言語処理を行うため、より適正な関連情報を容易に取得することができる。
【００３８】
また、請求項１６に記載の発明によれば、請求項１から請求項１５と同様な効果を得ることができる。
【発明を実施するための最良の形態】
【００３９】
以下、本発明の実施形態を図面に基づいて説明する。
【００４０】
＜第１実施形態＞
＜情報処理システムの概略構成＞
図１は、本発明の実施形態に係る情報処理システム１Ａの概略構成を示す図である。
【００４１】
情報処理システム１Ａは、サーバ１００、端末（クライアント）１０〜３０、及びサーバ管理用端末１９０を備えている。そして、サーバ１００と、端末（クライアント）１０〜３０とが、インターネット回線等のネットワーク回線ＮＴＷを介して相互にデータ送受信可能に接続され、サーバ１００に対し、サーバ１００を管理するためのサーバ管理用端末１９０が接続されている。なお、ここでは、３つの端末１０〜３０が存在している例を挙げて説明するが、端末の数は２つ以上であればいくつでも良い。
【００４２】
端末１０〜３０は、各病院に設置されている。なお、端末１０〜３０は、それぞれ同様な構成を有するため、以下では、適宜端末３０を代表例として採用しつつ説明する。
【００４３】
端末３０は、内蔵する記憶部３４（後述）に、多数の画像データが格納された診療情報ＤＢ３４１（後述）を記憶している。多数の画像データは、放射線科において検査リストに列挙された患者を対象として放射線を用いた撮影により得られる。そして、端末３０では、例えば、放射線科の読影医が、可視的に出力された画像データを適宜参照しつつ、読影レポートを記述及び入力すると、その読影レポートを示す情報（読影レポート情報）が診療情報ＤＢ３４１に保存される。
【００４４】
図２は、端末３０において新規な読影レポートを記述及び入力する状態を例示する図である。図２で示すように、端末３０では、放射線科の読影医が、診療情報ＤＢ３４１に格納されている患者の画像データを可視的に出力した画面（画像表示画面）Ｍ１，Ｃ１を適宜参照しつつ、読影レポートの入力画面４０１において新規な読影レポートを入力する。
【００４５】
また、端末１０〜３０では、各読影レポートを構成する複数の要素を、読影レポート毎に関連付けて構造化した情報（以下「単レポート構造化情報」とも称する）を生成する機能（以下「関連情報生成機能」と称する）を有し、生成した単レポート構造化情報をサーバ１００に送信する。
【００４６】
一方、サーバ１００は、端末１０〜３０からの単レポート構造化情報を収集し、新規な読影レポートの入力を支援する情報（入力支援情報）を生成する機能（以下「支援情報生成機能」と称する）と、入力支援情報を適宜端末１０〜３０に対して配信する機能（以下「情報配信機能」と称する）とを有する。
【００４７】
入力支援情報を取得した端末１０〜３０では、入力支援情報から必要な情報を抽出してテンプレート表示の形で提示することで、新規な読影レポートの作成を容易に可能とする。端末１０〜３０において新規な読影レポートの入力を支援する機能を以下「入力支援機能」と称する。このように、情報処理システム１Ａは、入力支援情報を利用する観点から見れば、データベースシステムとして機能し、読影レポートを入力する観点から見れば、レポーティングシステムとして機能する。
【００４８】
この情報処理システム１Ａでは、３以上の項目に含まれる各項目間において、要素間の関連が分かり易く提示されるように、入力支援機能が、情報の提示態様を適宜変更する特別な機能（以下「情報提示態様変更機能」とも称する）を有している。以下、情報提示に必要な情報の準備段階、すなわち関連情報生成機能、支援情報生成機能、及び情報配信機能について順次説明し、その後、情報提示態様変更機能を含む入力支援機能について説明する。
【００４９】
＜関連情報生成機能＞
図３は、主に端末３０で実現される関連情報生成機能に係る機能構成を示すブロック図である。
【００５０】
端末３０は、制御部３１、操作部３２、表示部３３、及び記憶部３４を備えている。
【００５１】
制御部３１は、ＣＰＵやＲＯＭやＲＡＭ等を備えて構成され、記憶部３４に格納されているプログラムをＣＰＵで読み込んで実行することで、関連情報生成機能等の各種機能を実現する。なお、制御部３１では、各種情報処理において一時的に生成される各種データは、内蔵されるＲＡＭに一時記憶される。
【００５２】
操作部３２は、キーボードやマウス等を備えて構成され、ユーザーの操作に応答して制御部３１に各種情報を入力することが可能である。
【００５３】
表示部３３は、液晶表示画面やＣＲＴ等を備えて構成され、制御部３１内の表示制御部３１９の制御に基づいて各種画像を可視的に出力する。
【００５４】
記憶部３４は、ハードディスク等によって構成され、各種プログラムやデータを格納する。そして、記憶部３４には、診療対象である多数の患者に係る医療情報（以下「診療情報」とも称する）を記憶する診療情報データベース（ＤＢ）３４１が格納されている。
【００５５】
この診療情報ＤＢ３４１には、診療対象である多数の患者が列挙されたリスト（検査リスト）が含まれる。また、診療情報ＤＢ３４１には、放射線科で検査リストに列挙された患者を対象として放射線による撮影によって得られた多数の画像データ、及びこの多数の画像データにそれぞれ対応する読影レポートを示す情報（読影レポート情報）が、検査リストに列挙された患者の名前と関連付けられて格納されている。更に、診療情報ＤＢ３４１に含まれる検査リストには、担当医からのオーダーリングや患者や検査に係る情報を示す属性情報が検査リストに列挙された患者の名前と関連付けられて格納されている。
【００５６】
制御部３１は、関連情報生成機能に係る機能構成として、データ読込部３１１、自然文構造化部３１２、機械学習部３１３、モデル入出力部３１４、識別部３１５、情報加算部ＫＳ、及び送受信部３１６を備える。
【００５７】
データ読込部３１１は、診療情報ＤＢ３４１から、既存の読影レポートを示す情報（既存レポート情報）と、当該既存レポート情報に対応するオーダーリング、患者属性、及び検査属性に係る情報とを読み込む。そして、データ読込部３１１は、既存読影レポート情報を自然文構造化部３１２に送出する一方、オーダーリング、患者属性、及び検査属性に係る情報を情報加算部ＫＳに送出する。
【００５８】
自然文構造化部３１２は、既存の読影レポートに含まれる自然文で記述された所見文から必要な要素を抽出し、ＲＤＦを利用して構造化を行う。この既存の読影レポートの要素の構造化は、機械学習部３１３、モデル入出力部３１４、及び識別部３１５の機能と、自然文構造化部３１２の機能とによって実現される。
【００５９】
機械学習部３１３は、例えば、教師データとして学習用コーパス等が与えられることで、構造化の基準となる情報を学習する。
【００６０】
学習用コーパスは、読影レポートに含まれる自然文である所見文の形式（文章モデル）に準じた大量のテキストデータを含む。この文章モデルは、例えば、撮影条件→部位→所見→疾患名といった具合に、読影レポートの所見文の構成を示すものである。そして、学習用コーパスでは、例えば、所定の所見文の文章モデルを構成する各要素（ここでは語句）の分類項目名が各要素にタグ付けされている。分類項目名としては「撮影条件」「部位」「所見」「疾患名」等が挙げられる。
【００６１】
そして、学習用コーパスでは、例えば、「Ｔ１」「Ｔ２」・・・等の語句に対して分類項目名「撮影条件」がタグ付けされ、「脳室」「白質」「前頭葉」・・・等の語句に対して分類項目名「部位」がタグ付けされている。また、「高信号」「低信号」「増強」「腫瘤影」・・・等の語句に対して分類項目名「所見」がタグ付けされ、「腫瘍」「虚血性変化」「梗塞」・・・等の語句に対して分類項目名「疾患名」がタグ付けされている。なお、このような学習用コーパスが機械学習部３１３に対して外部から与えられる際、後述する新規な読影レポートを作成するために、結語についても代表的な表現については同じように学習用コーパスにタグ付けされて与えられる。
【００６２】
機械学習部３１３は、学習用コーパスから語句を抜き出し、対応する要素の分類項目毎にそれぞれ記憶する。つまり、機械学習部３１３では、学習用コーパスを含む教師データを学習教材とし、教師データを参照して要素の分類項目毎に各要素の分類項目に属する語句を学習して記憶する。このとき、機械学習部３１３では、語句や表現の振れをある程度正規化する。
【００６３】
機械学習部３１３で、学習されて記憶されるデータは、既存の読影レポートに含まれる所見文を構成する各要素をどのような要素の分類項目に分解するのかを示すモデルのデータ（モデルデータ）として使用される。
【００６４】
モデル入出力部３１４は、モデルデータを通信回線や記憶媒体等を介して外部のコンピュータに出力したり、外部のコンピュータで学習されたモデルデータを通信回線や記憶媒体等を介して入力するものである。よって、情報処理システム１Ａにおいて学習されたモデルデータを他の情報処理システムで利用したり、逆に、他の情報処理システムにおいて学習されたモデルデータを情報処理システム１Ａで利用することができる。
【００６５】
識別部３１５は、機械学習部３１３で学習されたモデルデータ、又はモデル入出力部３１４を介して取得したモデルデータを基準としつつ、自然文構造化部３１２に入力される既存読影レポート情報を対象として、要素の分類項目と実際に使用されている語句とを識別する。
【００６６】
なお、上述した機械学習の方法を用いると、予め教師データにおいて挙げられた要素（ここでは、語句）についてしか、要素の分類項目を識別することができないが、以下の機械学習の方法を利用することで、予め教師データにおいて挙げられていない要素についても、要素の分類項目を識別することができる。
【００６７】
例えば、機械学習部３１３が、学習用コーパスを形態素解析によって形態素に分解し、形態素毎に、形態素そのもの、形態素の品詞、形態素の活用形、前後（例えば前後２つ）の形態素の情報等を用いて、ある分類項目に属する形態素が出現するパターンを学習する。そして、識別部３１５が、当該パターンに従って、予め与えられていなかった要素（ここでは語句）についても、要素の分類項目を認識することができる。
【００６８】
より具体的には、例えば、機械学習部３１３は、学習用コーパスに「**に沿って」（「**」部には種々の語が入る）といった形の文が頻出する場合に、「**」の部分に部位を示す語句が頻出するときには、「**」の部分には部位を示す語句が入るというパターンを学習することができる。そして、識別部３１５は、このようなパターンを利用すれば、既存読影レポート情報を対象として、語の前後関係からフレーズ「下垂体／に／沿って」から「下垂体」を部位を示す語句として抽出することができる。なお、上記機械学習は、いわゆるＳＶＭ（Support Vector Machine）を利用することで実現することができ、このような機械学習によって自然言語処理の精度が向上する。
【００６９】
そして、自然文構造化部３１２では、識別部３１５で識別された情報に基づき、既存の読影レポートを、要素の分類項目毎に属する語句（要素）に分解してＲＤＦで記述することで、既存の読影レポート情報を構造化する。このとき、既存の読影レポートにおける要素の出現パターンも認識することができるため、この出現パターンに関する情報を、識別部３１５で使用するモデルデータに反映させることで、モデルデータを進化させることもできる。つまり、既存読影レポート情報を解析すればする程、モデルデータが進化する。
【００７０】
自然文構造化部３１２で構造化された既存読影レポート情報は、情報加算部ＫＳに出力され、情報加算部ＫＳにおいて、データ読込部３１１から送出されたオーダーリング、患者属性、及び検査属性に係る属性情報が加えられて、ＲＤＦで記述された構造化データが生成される。
【００７１】
図４は、１つの既存読影レポート情報を構成する要素（既存読影レポート情報に係る属性情報を構成する要素も含む）が関連付けられるように構造化された情報（単レポート構造化情報）を例示する図である。図４で示すように、既存読影レポート情報のファイル「Ａ−０００１」に対して、ＲＤＦによって、要素の分類項目「撮影条件」「部位」「所見」「疾患名」をそれぞれ属性の項目とし、各属性に対して属性値「Ｔ１」「前頭葉」「高信号」「腫瘍」がぞれぞれ関連付けられて記述されている。また、属性情報に係る属性の項目「検査部位」「患者」「読影医師」「モダリティ」に対して「頭部（ＳＫＵＬＬ）」「特許太郎」「特許花子」「ＭＲ」がそれぞれ関連付けられ、更に、患者の属性に対し、属性の項目「性別」及び「年齢」について「Ｍ」と「５３」とがそれぞれ関連付けられて記述されている。なお、単レポート構造化情報において関連付けの対象となる属性の項目（属性項目）は、図４で示したものに限られず、例えば、検査属性の情報に含まれる他の属性項目を含めても良い。
【００７２】
このようにして、自然文構造化部３１２、機械学習部３１３、モデル入出力部３１４、識別部３１５、及び情報加算部ＫＳの機能によって、自然文で記載された所見文の文章情報に対して言語処理を施すことにより、文章情報から各分類項目に属する要素（ここでは語句）が抽出され、更に関連付けることで、単レポート構造化情報が生成される。
【００７３】
送受信部３１６は、情報加算部ＫＳにおいて生成されて取得された単レポート構造化情報をサーバ１００に対して送信する。なお、単レポート構造化情報は、診療情報ＤＢ３４１に格納された多数の既存読影レポート情報についてそれぞれ生成され、送受信部３１６によって、それぞれサーバ１００に送信される。
【００７４】
図５は、単レポート構造化情報の生成動作フローを示すフローチャートである。本動作フローは、端末３０において、所定のプログラムが実行されることで実現される。
【００７５】
まず、データ読込部３１１によって、診療情報ＤＢ３４１から、読影レポートを示す情報が属性情報とともに読み込まれる（ステップＳＴ１）。次に、自然文構造化部３１２、機械学習部３１３、モデル入出力部３１４、及び識別部３１５の機能により、ステップＳＴ１で読み込まれた読影レポートが構造化される（ステップＳＴ２）。更に、情報加算部ＫＳの機能により、ステップＳＴ２で構造化された読影レポートに対して属性情報が追加され、図４で示したような単レポート構造化情報が生成される（ステップＳＴ３）。そして、ステップＳＴ３で生成された単レポート構造化情報がサーバ１００に対して送信される（ステップＳＴ４）。その後、診療情報ＤＢ３４１に格納されている全ての既存読影レポート情報について単レポート構造化情報が生成されたか否か判定される（ステップＳＴ５）。ここで、全ての既存読影レポート情報について単レポート構造化情報が生成されていない場合には、ステップＳＴ１に戻り、次の読影レポートを示す情報等が読み込まれて単レポート構造化情報が生成される（ステップＳＴ１〜ＳＴ４）。一方、全ての既存読影レポート情報について単レポート構造化情報が生成されると、本動作フローが終了する。
【００７６】
このようにして、端末１０〜３０では、文章情報に対して言語処理を含む所定の情報処理を施すことで文章情報から各項目に属する要素を抽出し、更に抽出された複数の要素を関連付けることで、単レポート構造化情報が生成される。したがって、ユーザーによる煩雑な操作や作業を伴うこともなく、単レポート構造化情報が容易に取得される。なお、文章情報から抽出される各項目に属する要素の数、及び単レポート構造化情報の各項目に属する要素の数は１つに限られず、１以上であればいくつであっても良い。また、上述したように機械学習によって得られた情報に基づいて言語処理を行うため、より適正な単レポート構造化情報が容易に取得される。
【００７７】
ところで、診療情報ＤＢ３４１に蓄積される読影レポート情報は、端末３０において新たな読影レポートが作成される度に増加する。この時間とともに更に蓄積されていく読影レポート情報も過去の知識として利用できれば有効である。特に、これまでにない所見文等が新たに蓄積された読影レポート情報に含まれる場合には、過去の知識が更に進化するため、より有効である。そこで、情報処理システム１Ａでは、新たな読影レポートを示す情報が診療情報ＤＢ３４１に書き込まれる度に、単レポート構造化情報が生成され、サーバ１００に対して送信される。
【００７８】
＜支援情報生成機能＞
図６は、主にサーバ１００で実現される支援情報生成機能に係る機能構成を示すブロック図である。
【００７９】
サーバ１００は、サーバ制御部１１０、及び記憶部１２０を備えている。
【００８０】
サーバ制御部１１０は、ＣＰＵやＲＯＭやＲＡＭ等を備えて構成され、記憶部１２０に格納されているプログラムをＣＰＵで読み込んで実行することで、支援情報生成機能等の各種機能を実現する。なお、サーバ制御部１１０では、各種情報処理において一時的に生成される各種データは、内蔵されるＲＡＭに一時記憶される。
【００８１】
記憶部１２０は、ハードディスク等によって構成され、各種プログラムや各種データを格納する。
【００８２】
サーバ１００は、機能として、送受信部１１１、統合ＤＢ構築部１１２、及び支援ＤＢ構築部１１５を備える。
【００８３】
送受信部１１１は、端末１０〜３０から送信されてきた単レポート構造化情報を受信し、統合ＤＢ構築部１１２に対して出力する。
【００８４】
統合ＤＢ構築部１１２は、送受信部１１１から入力された単レポート構造化情報を受け付け、この単レポート構造化情報を記憶部１２０に蓄積することで、統合データベース（統合ＤＢ）１２１を構築する。
【００８５】
支援ＤＢ構築部１１５は、統合ＤＢ１２１から全ての単レポート構造化情報を読み出して、各単レポート構造化情報において１つのファイルに対して関連付けられている複数の要素（ここでは属性値）を、属性項目毎に並べて相互に関連付け直してＲＤＦで記述する処理を行う。そして、この処理の結果として、複数の属性項目に含まれる属性項目毎に１以上の属性値（すなわち要素、ここでは語句）が列挙されるとともに、各属性項目間で、各属性値（すなわち要素）どうしがネットワーク状に関連付けられた情報（以下「ネットワーク情報」とも称する）が生成される。このネットワーク情報は、記憶部１２０に記憶されることで、読影レポートの入力を支援する情報（入力支援情報）とされ、データベース（以下「支援情報ＤＢ」と称する）１２２が構築される。
【００８６】
図７は、統合ＤＢ１２１に記憶されていた単レポート構造化情報を構成する要素が構造化されて構築された支援情報ＤＢ１２２のデータ構成、すなわち多数の既存読影レポート情報に係る要素が構造化された例を示す図である。なお、図７では、検査部位「頭部（ＳＫＵＬＬ）」についてのネットワーク情報が例示されている。また、図７では、関連付けられた語句どうしが線で結ばれており、図の複雑化を避けるために、語句を適宜「○○○」等と記載するとともに、関連付けを示す線も図中の比較的上部に位置するものを例示して、その他の線は省略されている。
【００８７】
また、支援ＤＢ構築部１１５は、ネットワーク情報を生成する際に、各単レポート構造化情報において１つのファイルに対して関連付けられていた複数の要素（ここでは語句）の組合せを示す情報（組合せ情報）も、支援情報ＤＢ１２２に格納しておく。例えば、「頭部−ＭＲ−Ｍ−Ｔ１−前頭葉−高信号−腫瘍」等と言った語句の組合せを示す情報も記憶される。なお、ネットワーク情報と組合せ情報は、各項目間における各項目に属する１以上の語句どうしの関連付けを示す情報であり、以下適宜「要素関連ネットワーク情報」と総称する。ここで、多数の単レポート構造化情報から要素関連ネットワーク情報を生成すると、要素関連ネットワーク情報は、複数の属性項目に含まれる各項目に少なくとも１以上の要素が属し、且つ複数の属性項目に対してそれぞれ属する複数の要素の組合せを各々示す複数通りの組合せ情報も含んで構成された情報（適宜「要素関連情報」と略称する）となる。
【００８８】
支援情報ＤＢ１２２に格納されるネットワーク情報では、既存の読影レポートにおいて、どのような語句がそれぞれ記述されたのかを、各属性項目間で、複数の語句どうしが関連付けられた態様で示される。そのため、当該ネットワーク情報を可視的に出力して、新規な読影レポートを入力する際に利用すると有効である。特に、各属性項目を入力する要素の項目（入力要素項目）とし、各属性項目に属する複数の語句を入力する候補（選択肢）として、テンプレート表示の形態で提供すれば有効である。
【００８９】
しかしながら、支援情報ＤＢ１２２に格納されるネットワーク情報では、各属性項目に属する語句について、同義語（例えば「Ｔ２強調画像」と「Ｔ２Ｗ１」等）が多いと、選択肢が多過ぎて、選択肢の指定が困難となる。そこで、同義語については、識別部３１５で、語句を検出する際に、代表的な１つの語句に置換する処理が行われる。また、属性項目に「結語」等が含まれる場合には、結語等の表現の振れ（例えば「考える」と「考えます」等）が多いと選択肢が多過ぎて、選択肢の指定が困難となる。そこで、表現の振れについても、識別部３１５で、結語を検出する際に、代表的な１つの表現に置き換える処理が行われる。代表的な語句への置換については、教師データに、複数の語句と代表的な語句とを対応付けたデータテーブルを含ませて、実現することができる。なお、表現の振れについては、表現の振れを正規化して、最も使用頻度の高いものに全て置換するようにしても良く、同義語についても最も使用頻度の高いものに全て置換するようにしても良い。
【００９０】
図８は、支援情報生成機能における支援情報ＤＢ１２２の生成動作の動作フローを示すフローチャートである。本動作フローは、サーバ制御部１１０において、支援情報生成機能を実現するためのプログラムが実行されることで実現される。
【００９１】
まず、送受信部１１１が単レポート構造化情報を受信したか否か判定される（ステップＳＰ１）。ここでは、送受信部１１１が単レポート構造化情報を受信するまで、ステップＳＰ１の判定が繰り返される。一方、送受信部１１１が単レポート構造化情報を受信すると、統合ＤＢ構築部１１２により、送受信部１１１で受信された単レポート構造化情報が記憶部１２０に記憶されて、統合ＤＢ１２１が構築又は更新される（ステップＳＰ２）。そして、支援ＤＢ構築部１１５により、統合ＤＢ１２１に格納されている全ての単レポート構造化情報に基づき、要素関連ネットワーク情報が生成される（ステップＳＰ３）。ステップＳＰ３では、要素ネットワーク情報が記憶部１２０に記憶されることで、支援情報ＤＢ１２２が構築される。なお、ステップＳＰ３の処理が２回目以降の場合には、ステップＳＰ２で新規に記憶部１２０に記憶された単レポート構造化情報に基づき、支援ＤＢ構築部１１５によって支援情報ＤＢが更新される。そして、ステップＳＰ３の処理が行われると、ステップＳＰ１の処理に戻る。
【００９２】
なお、端末１０〜３０では、随時新しい読影レポートが作成されるため、サーバ制御部１１０の送受信部１１１は、端末１０〜３０から新たな単レポート構造化情報を受け付ける。このとき、統合ＤＢ構築部１１２によって統合ＤＢ１２１に蓄積される情報が更新されるため、新たな単レポート構造化情報が加えられる度に、その単レポート構造化情報に係る情報を支援情報ＤＢに反映させるべきである。そこで、２回目以降のステップＳＰ３では、支援情報ＤＢ１２２に、新規な単レポート構造化情報に係る情報が追加される。
【００９３】
＜情報配信機能＞
図９は、主にサーバ１００で実現される情報配信機能に係る機能構成を示すブロック図である。ここでは、サーバ１００が、記憶部１２０に格納されているプログラムをＣＰＵで読み込んで実行することで、情報配信機能に係る各種機能構成を実現する。
【００９４】
サーバ１００は、情報配信機能に係る機能構成として、送受信部１１１、及び配信制御部１１６を備える。
【００９５】
配信制御部１１６は、送信先である端末１０〜３０を認識して、その端末に対して支援情報ＤＢ１２２を構成する情報（具体的には、要素関連ネットワーク情報）を送信するようなコマンドを送受信部１１１に出力する。ここでは、例えば、予め送信先の端末１０〜３０の情報（例えば、ユーザーＩＤやメールアドレス等の情報）を記憶部１２０に記憶しておき、この情報を配信制御部１１６が読み出すことで、送信先である端末１０〜３０を認識するようにすれば良い。
【００９６】
送受信部１１１は、配信制御部１１６からのコマンドに応じて、送信先である端末を時間順次に指定して、支援情報ＤＢ１２２を構成する要素関連ネットワーク情報を記憶部１２０から読み出して、端末に対して送信（配信）する。
【００９７】
図１０は、情報配信機能における動作フローを示すフローチャートである。本動作フローは、サーバ制御部１１０において、情報配信機能を実現するためのプログラムが実行されることで実現される。なお、本動作フローの実行タイミングとしては、例えば、支援情報ＤＢ１２２が更新されたタイミング等が挙げられる。
【００９８】
まず、配信制御部１１６により、Ｎ番目の端末が送信先の端末として指定される（ステップＳＰ１１）。ステップＳＰ１１の処理が１回目の場合には、送信先の端末を指定するためのカウント情報Ｎが１となり、例えば、端末１０が送信先の端末として指定される。また、ステップＳＰ１１の処理がｎ回目の場合には、Ｎ＝ｎとなり、例えば、ｎ＝２の場合には端末２０が送信先の端末として指定され、ｎ＝３の場合には端末３０が送信先の端末として指定される。次に、配信制御部１１６の制御下で送受信部１１１により、送信先として指定されている端末に対して支援情報ＤＢ１２２を構築する要素関連ネットワーク情報が送信される（ステップＳＰ１２）。その後、配信制御部１１６により、要素関連ネットワーク情報が全端末に配信されたか否か判定される（ステップＳＰ１３）。ここでは、全端末に配信されていなければステップＳＰ１４に進み、送信先の端末を指定するためのカウント情報Ｎが１つだけ加算されて、ステップＳＰ１１に戻る。一方、要素関連ネットワーク情報が全端末に配信されれば、本動作フローを終了する。このようにして、ステップＳＰ１１〜ＳＰ１４の処理が適宜繰り返されることで、全端末１０〜３０に対し、支援情報ＤＢ１２２を構築する要素関連ネットワーク情報が送信される。
【００９９】
＜入力支援機能＞
図１１は、主に端末３０で実現される入力支援機能に係る機能構成を示すブロック図である。ここでは、端末３０が、記憶部３４に格納されているプログラムをＣＰＵで読み込んで実行することで、入力支援機能に係る各種機能構成を実現する。
【０１００】
端末３０は、入力支援機能に係る機能構成として、データ読込部３１１、送受信部３１６、支援情報検索部３１７、タスク管理部３１８、表示制御部３１９、レポート構成部３２０、データ書込部３２１、及び設定変更部３２２を備える。また、情報配信機能によってサーバ１００から送信されてきた要素関連ネットワーク情報が、記憶部３４に記憶されることで、支援情報ＤＢ３４２が構築されている。
【０１０１】
そして、図１１で示される機能構成により、読影レポートの入力対象である検査を特定する動作（検査特定動作）、及び実際に読影レポートの入力を支援する動作（入力支援動作）が実現される。また、入力支援動作には、上述した情報提示態様変更機能に係る動作（情報提示態様変更動作）が含まれる。したがって、以下では、図１１を適宜参照しつつ、検査特定動作、及び情報提示態様変更動作を含む入力支援動作について順次説明する。
【０１０２】
○検査特定動作：
データ読込部３１１は、診療情報ＤＢ３４１から検査リストの情報（検査リスト情報）を読み込み、タスク管理部３１８に転送する。
【０１０３】
タスク管理部３１８は、読影レポートの入力対象となる検査を特定して管理するものあり、データ読込部３１１から表示制御部３１９に対して検査リスト情報を提供したり、操作部３２からの入力に応答して、新規な読影レポートの作成に係るタスクを特定する。
【０１０４】
表示制御部３１９は、読影レポート入力画面上に検査リスト情報を表示部３３において可視的に出力させる。
【０１０５】
具体的には、図１２で示すような読影レポート入力画面Ｇ１が表示部３３に表示され、その検査リスト表示領域Ａ２に、例えば、図１３で示すような検査リストが表示される。この検査リストには、患者の氏名が上から順に列挙され、各患者の氏名に対して、性別と、検査ＩＤと、読影レポートの作成について未処理か既処理かを示す状態とがそれぞれ記述される。また、図１２で示すように、読影レポート入力画面Ｇ１は、主に、依頼内容（オーダーリング情報）が表示される領域（依頼内容表示領域）Ａ１、検査リストが表示される領域（検査リスト表示領域）Ａ２、検査情報が表示される領域（検査情報表示領域）Ａ３、読影レポートの入力及び作成を行う領域（レポート作成領域）Ａ４、所見文が表示される領域（所見表示領域）Ａ５、メモを記述する領域（メモ領域）Ａ６、代表的な画像を添付する領域（画像添付領域）Ａ７、コマンドを入力するためのアイコンが列挙される領域（コマンド入力領域）Ａ８によって構成されている。
【０１０６】
そして、以下のような動作で、新規な読影レポートの作成動作に係る検査を特定する。
【０１０７】
まず、表示部３３において、検査リスト表示領域Ａ２に検査リストが表示された状態で、操作部３２が適宜操作されると、検査リストから所望の患者が指定される。そして、タスク管理部３１８は、操作部３２からの患者を指定する入力に応答して、当該指定された患者氏名を示す情報を受け付け、この受け付けた患者氏名を示す情報に対応する、新規な読影レポートの作成に係るタスクを特定する。
【０１０８】
このとき、データ読込部３１１が、タスク管理部３１８の制御下で、診療情報ＤＢ３４１から指定された患者氏名に対応するオーダリング、患者属性、及び検査属性に係る属性情報を読み込み、表示制御部３１９に出力する。そして、表示制御部３１９は、オーダリング、患者属性、及び検査属性に係る情報に基づき、読影レポート入力画面Ｇ１において、例えば、依頼内容表示領域Ａ１に図１４で示すようなオーダリング情報を可視的に出力させるとともに、検査情報表示領域Ａ３に図１５で示すような患者属性及び検査属性に係る属性情報を可視的に出力させる。
【０１０９】
○入力支援動作：
入力支援動作では、上述した支援情報生成機能によって生成されたネットワーク情報を、レポート作成領域Ａ４においてテンプレート表示の形態で可視的に出力し、当該テンプレート表示における語句の選択肢が適宜指定されることで、新規な読影レポートの入力を行う。
【０１１０】
但し、各属性項目に列挙される複数の語句を選択肢として、単にネットワーク情報の全体（全体ネットワーク情報）を図７で示すように一覧表示するテンプレート表示の形態で提供すれば、列挙される選択肢の数が膨大過ぎて、選択肢の選択が困難となる。
【０１１１】
そこで、例えば、全体ネットワーク情報のうち「男性、頭部、ＭＲ」に関する情報に絞り込んだとすると、例えば、図１６に示すような一部のネットワーク情報（一部ネットワーク情報）を抽出することができる。図１６に示す一部ネットワーク情報では、各入力要素項目「撮影条件」「部位」「所見」「疾患名」間で、各入力要素項目に属する複数の選択肢（すなわち要素）どうしがネットワーク状に関連付けられた情報となっている。なお、ここでは、「入力要素項目」という文言を、読影レポートを構成する要素の項目を入力するための要素の項目の意味で用いている。また、図１６では、各入力要素項目に属する要素が複数であるが、各入力要素項目に属する要素は１以上であれば良い。
【０１１２】
そして、図１６で示したような一部ネットワーク情報を一覧表示するテンプレート表示では、列挙される選択肢の数はある程度限定されているため、選択肢が見易くなり、選択肢の選択が容易となる。また、列挙される入力要素項目は、読影レポートの所見文の入力に必要な項目を網羅しており、テンプレート表示に示されるネットワーク情報を絞り込んでも、所見文の入力が容易となるだけで、特に不都合を生じない。
【０１１３】
ここで、全体ネットワーク情報から一部のネットワーク情報を抽出する手法について説明する。
【０１１４】
図１７は、全体ネットワーク情報から所望の一部のネットワーク情報を抽出するための抽出条件を決定するテンプレート表示（抽出条件決定テンプレート表示）ＴＰ１を例示する図である。
【０１１５】
上述の如く、検査特定動作において、検査が特定されると、読影レポート入力画面Ｇ１（図１２）では、例えば、依頼内容表示領域Ａ１にオーダリング情報（図１４）が、検査情報表示領域Ａ３に患者及び検査に係る属性情報（図１５）が表示される。そして、支援情報検索部３１７の機能によって、レポート作成領域Ａ４に、抽出条件決定テンプレート表示ＴＰ１が表示される。
【０１１６】
図１７で示すように、抽出条件決定テンプレート表示ＴＰ１では、全体ネットワーク情報における全属性項目のうち一部の属性項目「部位分類」「モダリティ」「性別」について、語句（選択肢）を各１つずつ選択することで、選択肢の組合せを抽出条件として指定することができる。このとき、抽出条件は、操作部３２からの入力に応答して、支援情報検索部３１７に与えられる。
【０１１７】
具体的には、図１７で示す抽出条件決定テンプレート表示ＴＰ１では、操作部３２のマウスの操作に応答して動作するマウスポインタＭＰによってリストＰＬ１〜ＰＬ３から、属性値（選択肢）を各１つずつ選択することができる。そして、各属性項目について、各１つずつの選択肢を選択して、条件決定ボタンＢＴにマウスポインタＭＰを合わせてマウスを左クリックすることで、３つの属性項目についての選択肢（語句）の組合せを指定する抽出条件を決定することができる。
【０１１８】
支援情報検索部３１７は、操作部３２からの抽出条件の指定に応答して、支援情報ＤＢ３４２を検索する。そして、全体ネットワーク情報から、抽出条件に対応する一部ネットワーク情報を、レポート作成領域Ａ４にテンプレート表示として一覧表示するための情報（以下「表示用ネットワーク情報」とも称する）として抽出する。このとき、支援情報検索部３１７は、支援情報ＤＢ３４２に格納される組合せ情報を参照することで、全体ネットワーク情報から、抽出条件を満たす一部ネットワーク情報を抽出することができる。このとき、組合せ情報から、抽出される一部ネットワーク情報に対応する一部の組合せ情報も抽出する。なお、一部ネットワーク情報と一部の組合せ情報とを、適宜「一部要素関連ネットワーク情報」とも総称する。
【０１１９】
また、支援情報検索部３１７は、一部要素関連ネットワーク情報に基づき、要素（ここでは語句）の全ての組合せが列挙されたデータテーブル（要素組合情報テーブル）３４３を生成し、記憶部３４に要素組合情報テーブル３４３として記憶する。なお、要素組合情報テーブル３４３では、一部要素関連ネットワーク情報の組合せ情報によって１回関連付けられている要素の組合せも、２回以上関連付けられている要素の組合せも、等しく１回ずつ列挙される。
【０１２０】
図１８は、要素組合情報テーブル３４３のデータ構成を例示する図である。
【０１２１】
図１８で示すように、要素組合情報テーブル３４３は、複数の項目（ここでは、４つの属性項目「撮影条件」「部位」「所見」「疾患名」）に対して、各項目に属する要素（ここでは語句「Ｔ１」「Ｔ２」等）が列挙されている。そして、この要素組合情報テーブル３４３では、横方向に並んだ４つの要素（例えば、「Ｔ１」「脳室」「高信号」「腫瘍」）によって形成された各行が、要素の各組合せを示す。なお、要素組合情報テーブル３４３は、複数の項目に含まれる各項目に少なくとも１種類以上の要素が属して構成されれば良く、複数の項目に対してそれぞれ属する複数の要素の組合せを各々示す複数通りの組合せを示す情報が含まれて構成される。
【０１２２】
図１９は、表示対象の情報の絞り込み動作フローを示すフローチャートである。本動作フローは、端末３０において、入力支援動作を実現するためのプログラムが実行されることで実現される。
【０１２３】
ステップＳＴ１１では、表示制御部３１９の制御により、表示部３３において、図１７で示したような抽出条件決定テンプレート表示ＴＰ１がレポート作成領域Ａ４に表示される。
【０１２４】
ステップＳＴ１２では、抽出条件決定テンプレート表示ＴＰ１上における選択肢の指定に応答して、抽出条件が入力される。例えば、読影医は、読影レポート入力画面Ｇ１に表示されるオーダリング情報（図１４）を参照することで、部位分類「頭部」、モダリティ「ＭＲＩ」、及び性別「男性（Ｍ）」を特定することができる。そして、３つの項目「部位分類」「モダリティ」「性別」について、部位分類「頭部」−モダリティ「ＭＲＩ」−性別「Ｍ」の組合せを抽出条件として入力することができる。
【０１２５】
ステップＳＴ１３では、支援情報検索部３１７により、ステップＳＴ１２で入力された抽出条件に合致する一部ネットワーク情報を、支援情報ＤＢ３４２から抽出する。このとき、支援情報検索部３１７は、一部ネットワーク情報を表示制御部３１９に出力する。なお、ここで抽出された一部ネットワーク情報は、制御部３１内のＲＡＭに一時記憶されても良いし、記憶部３４に記憶されても良い。また、このとき、支援情報検索部３１７によって、一部ネットワーク情報に基づき、要素組合情報テーブル３４３が構築される。
【０１２６】
ステップＳＴ１４では、表示制御部３１９の制御により、レポート作成領域Ａ４において、ステップＳＴ１３で抽出された一部ネットワーク情報に基づき、この一部ネットワーク情報が可視的に一覧表示されたテンプレート表示が表示部３３の画面上で提供される。なお、ここで提供されるテンプレート表示は、新規な読影レポートの所見文の入力を支援するものであるため、以下「入力支援テンプレート表示」とも称する。
【０１２７】
図２０は、入力支援テンプレート表示ＴＰ２の表示例を示す図である。なお、後述する入力支援テンプレート表示ＴＰ２における各種入力及び指定は、読影医による操作部３２における操作に応答して入力される信号に基づいて行われる。
【０１２８】
図２０で示すように、入力支援テンプレート表示ＴＰ２では、上から３／４程度の領域において、左から順に、項目「撮影条件」「部位」「所見」「疾患名」についての複数の語句Ｆ１〜Ｆ４がそれぞれ表示される。この入力支援テンプレート表示ＴＰ２において列挙される項目の順序は予め設定され、この項目の順序を示す情報（以下「設定項目順序情報」とも称する）は記憶部３４に記憶された設定情報３４５に含まれている。
【０１２９】
より詳細には、入力支援テンプレート表示ＴＰ２では、属性項目「撮影条件」について、複数の語句（「Ｔ１」「Ｔ２」）Ｆ１が、属性項目「部位」について、複数の語句（「脳室」「白質」「前頭葉」）Ｆ２が、属性項目「所見」について、複数の語句（「高信号」「低信号」「増強」「腫瘤影」）Ｆ３が、属性項目「疾患名」について、複数の語句（「腫瘍」「虚血性変化」「梗塞」）Ｆ４が列挙される。
【０１３０】
入力支援テンプレート表示ＴＰ２で列挙される複数の項目については、複数（ここでは４つ）の項目をそれぞれ可視的に示す複数の表示要素（以下「項目表示要素」とも称する）が左方から右方に向かって空間順次に並べられて表示される。ここで列挙される４つの項目表示要素は、要素関連ネットワーク情報における複数の項目に含まれた３以上の項目（ここでは、４項目「撮影条件」「部位」「所見」「疾患名」）をそれぞれ可視的に示す項目表示要素Ｋ１〜Ｋ４である。また、この４つの項目表示要素Ｋ１〜Ｋ４が左方から右方に向かって空間順次に並べられる順序は、設定情報３４５に含まれている設定項目順序情報に従って決定される。なお、例えば、設定項目順序情報は、４項目の順序「撮影条件−部位−所見−疾患名」を示すような情報である。
【０１３１】
また、入力支援テンプレート表示ＴＰ２で列挙される複数の要素については、複数の項目（ここでは、４項目「撮影条件」「部位」「所見」「疾患名」）に含まれる各項目に属する１以上の要素（ここでは語句）を示す表示要素（以下「従属要素表示要素」とも称する）が、空間順次に並べられることで、列挙される。この従属要素表示要素の列挙態様としては、例えば、１以上の要素が従属先である項目を示す項目表示要素Ｋ１〜Ｋ４の下に列挙されるような態様（図２０）等、対応する項目表示要素Ｋ１〜Ｋ４との関係が可視的に認識可能な態様となれば良い。図２０では、例えば、従属要素表示要素「Ｔ１」「Ｔ２」が、従属先である項目「撮影条件」を示す項目表示要素「撮影条件」Ｋ１の下に上下方向に沿って並べられて表示される。なお、ここでは、入力支援テンプレート表示ＴＰ２の見易さの観点から、各項目表示要素に属するように表示される従属要素表示要素は、２回以上同じものが挙げられないようにしている。
【０１３２】
更に、入力支援テンプレート表示ＴＰ２で列挙される要素に対しては、設定情報３４５内の設定項目順序情報で示される相互に隣り合う順序の各項目間で、要素組合情報テーブル３４３、すなわち一部ネットワーク情報で関連付けられている要素間の関連が可視的に認識可能な要素（以下「関連表示要素」とも称する）として付与される。具体的には、４項目「撮影条件」「部位」「所見」「疾患名」については、抽出条件に沿って抽出された一部ネットワーク情報に基づき、各項目間で、相互に関連付けられた語句どうしが関連表示要素の一例にあたる線（ここでは、実線）によって結ばれた状態で表示される。つまり、各項目間で複数の要素が実線でネットワーク状に結びつけられて関連付けられた状態で表示される。
【０１３３】
このようにして、ある程度絞られた一部ネットワーク情報が可視的に一覧表示される。よって、ユーザーは過去の知識が一見して分かるような要素の一覧表示（以下「要素一覧表示」とも称する）を参照しつつ、読影レポートの作成を行うことができる。
【０１３４】
そして、入力支援テンプレート表示ＴＰ２において、４項目「撮影条件」「部位」「所見」「疾患名」の各項目に対し、複数の語句から１つの語句にマウスポインタＭＰを合わせて左クリックすることで、新規な読影レポートの所見文を構成する各項目に対応する語句を指定することができる。
【０１３５】
なお、ユーザーである読影医は、各項目に対応する語句を指定する際には、入力支援テンプレート表示ＴＰ２の下部に表示される読影レポートの所見文の文章モデルＭＤを参照する。この文章モデルＭＤに係る情報は、例えば、教師データ等と併せて外部から与えられる。
【０１３６】
ここでは、記憶部３４に、複数の項目について複数通りの順序を示す情報、すなわち複数の順序情報と、複数の文章モデルとが関連付けられたデータテーブル等によって構成される情報（以下「順序文章モデル情報」とも称する）３４４が記憶されている。例えば、順序文章モデル情報３４４は、第１順序情報と第１文章モデルとが関連付けられ、第２順序情報と第２文章モデルとが関連付けられている情報を含むデータテーブル等によって構成される。そして、設定情報３４５には、順序文章モデル情報３４４において設定項目順序情報と対応付けられた文章モデルを示す情報が現在選択されている文章モデルを示す情報（選択文章モデル情報）として記憶される。入力支援テンプレート表示ＴＰ２では、設定情報３４５に記憶された選択文章モデル情報に基づいて、文章モデルＭＤが表示される。
【０１３７】
この文章モデルＭＤは、「［空白欄Ｗ１］画像にて、［空白欄Ｗ２］において、［空白欄Ｗ３］を認め、［空白欄Ｗ４］を疑う。」といった読影レポートの所見文のモデルを示す。そして、空白欄Ｗ１〜Ｗ４には、４つの項目「撮影条件」「部位」「所見」「疾患名」に係る要素（文章を構成する要素、以下「文章構成要素」とも称する）である語句がそれぞれ当てはまる。つまり、ユーザーである読影医による語句の指定により、複数の語句（選択肢）Ｆ１のうちの１つの語句（例えば「Ｔ１」）が空白欄Ｗ１に充当され、複数の語句（選択肢）Ｆ２のうちの１つの語句（例えば「前頭葉」）が空白欄Ｗ２に充当され、複数の語句（選択肢）Ｆ３のうちの１つの語句（例えば「高信号」）が空白欄Ｗ３に充当され、複数の語句（選択肢）Ｆ４のうちの１つの語句（例えば「梗塞」）が空白欄Ｗ４に充当される。なお、図２１では、４項目「撮影条件」「部位」「所見」「疾患名」に対し、４つの語句「Ｔ１」「前頭葉」「高信号」「梗塞」が指定され、指定された語句を示す従属要素表示要素の濃淡が反転された状態で示されている。
【０１３８】
また、入力支援テンプレート表示ＴＰ２では、読影医による１以上の語句（すなわち従属要素表示要素）の指定に応答して、表示制御部３１９の制御により、要素組合情報テーブル３４３（又は一部ネットワーク情報）に基づき、指定された１以上の従属要素表示要素と、この１以上の従属要素表示要素とは異なる他の従属要素表示要素との関連を示す関連表示要素の表示態様が、残余の関連表示要素とは可視的に区別可能な態様に変更される。
【０１３９】
より詳細には、４項目に対してそれぞれ語句を指定する際、まず、４項目のうちのいずれか１以上の項目にそれぞれ属する１以上の語句にマウスポインタＭＰを合わせて指定すると、支援情報検索部３１７により、一部ネットワーク情報又は要素組合情報テーブル３４３が参照されて、指定された１つの語句、又は２以上の語句の組合せを含む、語句の組合せが認識される。そして、認識された語句の組合せを示す関連表示要素（ここでは線）の表示態様が、残余の関連表示要素とは区別可能な態様で示される。
【０１４０】
図２２は、関連表示要素の表示態様が変更された入力支援テンプレート表示ＴＰ２を例示する図である。図２２では、項目「撮影条件」に対して語句「Ｔ１」、項目「部位」に対して語句「前頭葉」がそれぞれ指定され、語句「Ｔ１」と語句「前頭葉」の組合せを含む語句の組合せを関連付けて示す関連表示要素である実線が、残余の関連表示要素である実線よりも太く表示されて、区別可能な態様とされた例が示されている。より具体的には、図２２では、要素の組合せ「Ｔ１」「前頭葉」「高信号」「梗塞」と要素の組合せ「Ｔ１」「前頭葉」「腫瘤影」「腫瘍」を示す関連表示要素が、太線で示された状態が示されている。このように、表示態様が変更されることで、ユーザーにとって要素間の関連がより把握し易くなる。
【０１４１】
このような入力支援テンプレート表示ＴＰ２において、上述の如く、４項目についてそれぞれ指定された語句が文章モデルＭＤの空白欄Ｗ１〜Ｗ４に充当されている状態で、操作部３２が適宜操作され、コマンド入力領域Ａ８のコマンド「所見登録」が指定されると、レポート構成部３２０により、文章モデルＭＤの空白欄Ｗ１〜Ｗ４に充当されている語句が、所定の文章モデルＭＤに沿った各項目に係る文章構成要素として指定される。そして、レポート構成部３２０により、文章モデルＭＤと、各項目に対して指定された文章構成要素とに基づいて、新規な所見文が生成ならびに登録されて、所見表示領域Ａ５に所見文が表示される。
【０１４２】
このとき、新規に生成された所見文の情報がデータ書込部３２１によって、診療情報ＤＢ３４１に追加登録される。例えば、「Ｔ１画像にて、脳室において、高信号を認め、腫瘍を疑う。」といった自然文で構成される所見文を示す情報が生成されて、診療情報ＤＢ３４１に追加登録される。このとき、所定の文章モデルＭＤに沿った新規な所見文を含む新規な読影レポートの情報（新規読影レポート情報）が生成される。
【０１４３】
なお、ここでは、各項目に対して１つの文章構成要素を指定したが、これに限られず、例えば、各項目に対して２以上の文章構成要素を指定する等、少なくとも１以上の文章構成要素を指定するようにしても良い。
【０１４４】
このようにして、端末１０〜３０において、一部ネットワーク情報の一覧表示が可視的に表示された状態で、ユーザーが操作部３２を操作することにより、一覧表示に含まれる各項目に対し、それぞれ１以上の要素を文章構成要素として指定することで、所定の文章モデルに沿った新規な所見文の情報が生成される。このため、読影レポートの作成が容易かつ適正に可能となる。
【０１４５】
また、レポート構成部３２０が、文章モデルＭＤの空白欄Ｗ１〜Ｗ４に充当された要素（ここでは語句）と、抽出条件を構成する要素（ここでは語句）と、入力対象である読影レポートに係る患者属性、及び検査属性を構成する要素とを、読影レポートのファイル名と関連付けることで、新規な単レポート構造化情報を生成する。この新規な単レポート構造化情報は、送受信部３１６を介してサーバ１００に出力される。そして、サーバ１００において、支援情報生成機能により、統合ＤＢ１２１、支援情報ＤＢ１２２が適宜更新される。
【０１４６】
但し、このように一定の項目の表示順に従って、各項目間における要素間の関連が示されるだけでは、入力支援テンプレート表示ＴＰ２で隣合わない項目間における要素間の関連を把握するのは難しい。そこで、本実施形態に係る情報処理システム１Ａでは、一部ネットワーク情報の一覧表示における項目の表示順を自在に変更可能とする特別な機能（情報提示態様変更機能）を有しており、一部ネットワーク情報に３以上の項目に係る情報が含まれる場合でも、各項目間における要素間の関連を分かり易く提示することができる。ここで、情報提示態様変更機能に係る動作（情報提示態様変更動作）について説明する。
【０１４７】
○情報提示態様変更動作：
図２１で示した入力支援テンプレート表示ＴＰ２では、隣合わない項目に属する要素間の関連、例えば、部位と疾患名との関連が分かり難かった。そこで、本実施形態に係る情報処理システム１Ａでは、一部ネットワーク情報が可視的に出力された入力支援テンプレート表示ＴＰ２を表示部３３に表示させた状態で、ユーザーが操作部３２に対して所定の操作を行うと、列挙される項目の順序が変更される動作（情報提示態様変更動作）が行われる。
【０１４８】
ここで、図２１で示した入力支援テンプレート表示ＴＰ２において、部位と疾患名との関連を見易く表示させたいと考え、項目「部位」と項目「所見」の順序を入れ換える場合を一例として説明する。
【０１４９】
ユーザーである読影医は、操作部３２に含まれるマウスを種々操作することで、入力支援テンプレート表示ＴＰ２上で、まず、マウスポインタＭＰを項目表示要素「部位」Ｋ２に合わせてマウスの左ボタンを押下（以下「左クリック」と称する）することにより項目表示要素「部位」Ｋ２を指定し、その後、マウスポインタＭＰを項目表示要素「所見」Ｋ３に合わせて左クリックすることにより項目表示要素「所見」Ｋ３を指定する。このとき、このような所定の操作に応答して、設定変更部３２２が、設定情報３４５内の設定項目順序情報を、４項目の順序「撮影条件−部位−所見−疾患名」を示す情報（第１順序情報）から、異なる４項目の順序「撮影条件−所見−部位−疾患名」を示す情報（第２順序情報）に変更する。
【０１５０】
なお、ここでは、２つの項目表示要素「部位」「所見」Ｋ２，Ｋ３を各々指定することで、入れ換えたい項目表示要素、すなわち変更後の項目の順序を特定したが、これに限られない。例えば、項目表示要素「部位」Ｋ２にマウスポインタＭＰを合わせてマウスの左ボタンを押下した状態を維持しつつ、マウスポインタＭＰを項目表示要素「所見」Ｋ３と項目表示要素「疾患名」Ｋ４との間まで移動させて、左ボタンの押下を解除することで、項目「所見」と項目「疾患名」との間に項目「部位」が来るように、変更後の項目の順序を特定する等、種々の所定の操作に応答して、変更後の項目の順序を特定する態様が考えられる。
【０１５１】
また、このとき、設定変更部３２２により、設定項目順序情報が、第１順序情報から第２順序情報に変更されると、設定情報３４５から設定項目順序情報として記憶されていた第１順序情報が削除されて、第２順序情報が設定項目順序情報として記憶されるため、第２順序情報が設定項目順序情報のデフォルトの情報（初期情報）として記憶される。このため、次回に、抽出条件決定テンプレート表示ＴＰ１で抽出条件が選択され、新たに一部ネットワーク情報の一覧表示、すなわち入力支援テンプレート表示が表示部３３において可視的に出力される際には、設定項目順序情報としては第２順序情報が初期情報として設定されているため、この第２順序情報に従った入力支援テンプレート表示が実現される。
【０１５２】
上述したような手順で、設定変更部３２２によって設定項目順序情報が変更されると、表示制御部３１９の制御により、要素組合情報テーブル３４３と、変更後の設定項目順序情報とに従って、項目の表示順が変更された一部ネットワーク情報の可視的な一覧表示を含む入力支援テンプレート表示ＴＰ２ａが、表示部３３において表示される。
【０１５３】
図２３は、項目の表示順序が変更された後の入力支援テンプレート表示ＴＰ２ａを例示する図である。図２３では、図２１で示した入力支援テンプレート表示ＴＰ２から、項目「部位」と項目「所見」の順序が入れ替えられた入力支援テンプレート表示ＴＰ２ａが示されている。
【０１５４】
入力支援テンプレート表示ＴＰ２ａでは、４項目「撮影条件」「所見」「部位」「疾患名」をそれぞれ示す項目表示要素Ｋ１，Ｋ３ａ，Ｋ２ａ，Ｋ４，が、第２順序情報に従って左方から右方に向かって空間順次に並べられる。また、４項目「撮影条件」「所見」「部位」「疾患名」に含まれる各項目に属する１以上の要素をそれぞれ示す従属要素表示要素（ここでは語句）が、従属先である項目に対応する各項目表示要素Ｋ１，Ｋ３ａ，Ｋ２ａ，Ｋ４との関係が可視的に認識可能な態様（図２３では、各項目表示要素の下に上下方向に沿って列挙される態様）で空間順次に並べられる。
【０１５５】
例えば、入力支援テンプレート表示ＴＰ２ａでは、上から３／４程度の領域において、左から順に、項目「撮影条件」「所見」「部位」「疾患名」についての複数の語句Ｆ１，Ｆ３ａ，Ｆ２ａ，Ｆ４がそれぞれ表示される。より詳細には、入力支援テンプレート表示ＴＰ２ａでは、属性項目「撮影条件」について、複数の語句（「Ｔ１」「Ｔ２」）Ｆ１が、属性項目「所見」について、複数の語句（「高信号」「低信号」「増強」「腫瘤影」）Ｆ３ａが、属性項目「部位」について、複数の語句（「脳室」「白質」「前頭葉」）Ｆ２ａが、属性項目「疾患名」について、複数の語句（「腫瘍」「虚血性変化」「梗塞」）Ｆ４が列挙される。
【０１５６】
更に、入力支援テンプレート表示ＴＰ２ａでは、列挙される従属要素表示要素に対し、第２順序情報において相互に隣り合う順序の各項目間で、要素組合情報テーブル３４３、すなわち一部ネットワーク情報で関連付けられている要素間の関連を示す関連表示要素（ここでは実線）が付与される。
【０１５７】
このような入力支援テンプレート表示ＴＰ２ａ（図２３）では、ユーザーにとって、入力支援テンプレート表示ＴＰ２（図２１）では分かり難かった部位と疾患名との関連等が分かり易く表示される。
【０１５８】
また、入力支援テンプレート表示ＴＰ２ａ（図２３）では、文章モデルＭＤが、項目の表示順序の変更に応じて、文章モデルＭＤａに変更される。
【０１５９】
より詳細には、設定変更部３２２により、設定情報３４５で管理されている設定順序情報が第１順序情報から第２順序情報に変更されると、順序文章モデル情報３４４から第２順序情報に対応する第２文章モデルを示す情報が読み出され、選択文章モデル情報として設定情報３４５に記憶される。つまり、選択文章モデル情報が、第１文章モデルを示す情報から第２文章モデルを示す情報に変更される。このような選択文章モデル情報の変更に伴い、入力支援テンプレート表示ＴＰ２ａでは、変更後の選択文章モデル情報に基づき、文章モデルＭＤａが表示される。
【０１６０】
この文章モデルＭＤａは、「［空白欄Ｗ１］画像にて、［空白欄Ｗ３ａ］を［空白欄Ｗ２ａ］に認め、［空白欄Ｗ４］を疑う。」といった読影レポートの所見文のモデルを示す。そして、空白欄Ｗ１，Ｗ２ａ，Ｗ３ａ，Ｗ４には、４つの項目「撮影条件」「所見」「部位」「疾患名」に係る文章構成要素である語句がそれぞれ当てはまる。
【０１６１】
つまり、ユーザーである読影医による語句の指定により、複数の語句（選択肢）Ｆ１のうちの１つの語句（例えば「Ｔ１」）が空白欄Ｗ１に充当され、複数の語句（選択肢）Ｆ３ａのうちの１つの語句（例えば「高信号」）が空白欄Ｗ３ａに充当され、複数の語句（選択肢）Ｆ２ａのうちの１つの語句（例えば「前頭葉」）が空白欄Ｗ２ａに充当され、複数の語句（選択肢）Ｆ４のうちの１つの語句（例えば「梗塞」）が空白欄Ｗ４に充当される。なお、図２３では、４項目「撮影条件」「所見」「部位」「疾患名」に対し、４つの語句「Ｔ１」「高信号」「前頭葉」「梗塞」が指定され、指定された語句を示す従属要素表示要素の濃淡が反転された状態で示されている。
【０１６２】
なお、入力支援テンプレート表示ＴＰ２ａでも、図２２で示した入力支援テンプレート表示ＴＰ２と同様に、読影医による１以上の語句（すなわち従属要素表示要素）の指定に応答して、表示制御部３１９の制御により、指定された１以上の従属要素表示要素と、この１以上の従属要素表示要素とは異なる他の従属要素表示要素との関連を示す関連表示要素の表示態様が、残余の関連表示要素とは可視的に区別可能な態様に変更される。
【０１６３】
そして、図２１及び図２２を示して説明したように、入力支援テンプレート表示ＴＰ２と同様に、入力支援テンプレート表示ＴＰ２ａにおいて、各項目に対し、それぞれ１以上の要素を文章構成要素として指定することで、所定の文章モデルに沿った自然文である所見文を示す新規なデータが生成される。すなわち、新規な読影レポート情報が生成される。
【０１６４】
以上のように、本発明の第１実施形態に係る情報処理システム１Ａでは、３以上の項目について所定の順番に沿って空間順次に隣接する項目間で要素間の関連を表示する場合に、ユーザーによる操作に応答して、空間順次に隣接する項目の順番が入れ換えられる。このため、３以上の項目に含まれる各項目間における要素間の関連が分かり易く提示される。
【０１６５】
また、３以上の項目について所定の順番に沿って空間順次に隣接する項目間で要素間の関連が表示された状態で、ユーザーの選択操作により、各項目に対してそれぞれ１以上の要素が指定されると、所定の文章モデルに沿った新規な文章情報が生成される。このため、ユーザーは、文章の作成時に、３以上の項目に含まれる各項目間における要素間の関連を参照することで、容易かつ適正に文章を作成することができる。特に、本実施形態によれば、読影レポートの作成が容易かつ適正に可能となる。
【０１６６】
また、空間順次に隣接する項目の順番が入れ換えられると、文章モデルにおける項目の順番も入れ替わる。このため、ユーザーにとって、文章の状態を容易に想定可能な態様で、３以上の項目に含まれる各項目間における要素間の関連が分かり易く表示される。また、語順を入れ換えることで、微妙な表現の違いを表すことも可能となる。
【０１６７】
また、空間順次に隣接する項目の順番が入れ換えられると、次に、３以上の項目について空間順次に隣接する項目間で要素間の関連を表示する場合にも、入れ換えられた後の項目の順番が初期情報として採用される。このため、ユーザーは、前回と同じ視点で項目間における要素間の関連を容易に把握することができる。
【０１６８】
＜第２実施形態＞
上記第１実施形態に係る情報処理システム１Ａでは、情報提示態様変更動作として、ユーザーによる所定の操作に応答して、入力支援テンプレート表示ＴＰ２において列挙される項目の順序が変更される動作が行われた。これに対し、第２実施形態に係る情報処理システム１Ｂでは、情報提示態様変更動作として、ユーザーによる所定の操作により、入力支援テンプレート表示において１つの従属要素表示要素が指定されると、その従属要素表示要素の属する項目とは空間順次に隣接しない項目について、指定された従属要素表示要素と関連付けられた従属要素表示要素が別表示される動作が行われる。
【０１６９】
本発明の第２実施形態に係る情報処理システム１Ｂは、第１実施形態に係る情報処理システム１Ａと比較して、同様な概略構成（図１）と、同様な関連情報生成機能に係る機能構成（図３）と、同様な支援情報生成機能に係る機能構成（図６）と、同様な情報配信機能に係る機能構成（図９）とを有する。但し、入力支援機能に係る機能構成については、異なる情報提示態様変更動作を実現するために、若干異なる機能構成を有する。つまり、端末の機能構成の一部が異なるため、第２実施形態に係る情報処理システム１Ｂでは、第１実施形態に係る情報処理システム１Ａの端末１０〜３０が、端末１０Ｂ〜３０Ｂに置換されている。
【０１７０】
以下、第２実施形態に係る情報処理システム１Ｂについて、第１実施形態に係る情報処理システム１Ａと同様な部分については同じ符号を付して説明を省略しつつ、第１実施形態に係る情報処理システム１Ａと異なる点について主に説明する。なお、端末１０Ｂ〜３０Ｂはそれぞれ同様な構成を有するため、端末１０Ｂ〜３０Ｂのうちの端末３０Ｂを代表例として採用しつつ説明する。
【０１７１】
図２４は、主に端末３０Ｂで実現される入力支援機能に係る機能構成を示すブロック図である。ここでは、端末３０Ｂの制御部３１Ｂが、記憶部３４Ｂに格納されたプログラムをＣＰＵで読み込んで実行することで、入力支援機能に係る各種機能構成を実現する。
【０１７２】
端末３０Ｂは、入力支援機能に係る機能構成として、第１実施形態に係る端末３０と同様に、データ読込部３１１、送受信部３１６、支援情報検索部３１７、タスク管理部３１８、表示制御部３１９、レポート構成部３２０、及びデータ書込部３２１を備える。但し、設定変更部３２２は備えていない。
【０１７３】
記憶部３４Ｂは、第１実施形態に係る記憶部３４と同様に、診療情報ＤＢ３４１、支援情報ＤＢ３４２、要素組合情報テーブル３４３、及び設定情報３４５が記憶される。但し、第１実施形態に係る順序文章モデル情報３４４は、記憶内容が異なる文章モデル情報３４４Ｂに置換されている。
【０１７４】
文章モデル情報３４４Ｂは、第１実施形態に係る順序文章モデル情報３４４とは異なり、単に、所見文の構成に対応する１つの文章モデルを示す情報によって構成される。これは、第２実施形態に係る入力支援機能では、原則として、文章モデルの変更、項目の順序の変更を伴わないからである。
【０１７５】
端末３０Ｂによって主に実現される入力支援機能により、第１実施形態と同様な検査特定動作が実行され、入力支援動作についても、情報提示態様変更動作を除いて、第１実施形態と同様な動作が行われる。つまり、入力支援テンプレート表示ＴＰ２（図２０）が提示されるところまでは、第１実施形態と同様な動作（図１９）が行われる。
【０１７６】
ここで、第２実施形態に係る情報提示態様変更動作について説明する。
【０１７７】
○情報提示態様変更動作：
本実施形態に係る情報処理システム１Ｂでは、一部ネットワーク情報が可視的に出力された入力支援テンプレート表示ＴＰ２（図２０）を表示部３３に表示させた状態で、ユーザーが操作部３２に対して所定の操作を行うと、各項目について従属要素表示要素を指定される。例えば、マウスポインタＭＰが所望の従属要素表示要素に合わされて左クリックされると、マウスポインタＭＰが合わされている従属要素表示要素が指定される。このとき、１つの従属要素表示要素が指定されると、この１つの従属要素表示要素が基準の従属要素表示要素（基準表示要素）とされる。そして、要素組合情報テーブル３４３（又は一部ネットワーク情報）に基づき、基準表示要素の従属先である項目以外の項目毎に、基準表示要素に対応する要素と関連付けられた要素の表示要素（従属要素表示要素）が、一部ネットワーク情報の一覧表示とは別に表示部３３において提示される。
【０１７８】
図２５は、表示部３３において、一部ネットワーク情報の一覧表示とは別に、基準表示要素に対応する要素と関連付けられた要素が項目毎に提示された入力支援テンプレート表示ＴＰ２ｂを示す図である。図２５では、項目「撮影条件」に対して要素「Ｔ１」が指定され、指定された語句を示す従属要素表示要素の濃淡が反転されている。
【０１７９】
図２５で示すように、入力支援テンプレート表示ＴＰ２ｂでは、比較的上部に、一部ネットワーク情報の一覧表示（「要素一覧表示」とも称する）ＮＶが表示され、下部に、一覧表示ＮＶとは異なる別途のウインドウ表示ＷＤ１〜ＷＤ３が列挙される。ウインドウ表示ＷＤ１〜ＷＤ３では、それぞれ基準表示要素（ここでは基準表示要素「Ｔ１」）に対応する要素（ここでは要素「Ｔ１」）が属する項目とは異なる項目（ここでは項目「部位」「所見」「患者名」）毎に、１つの基準表示要素が示す１つの要素と関連付けられた１以上の要素が提示される。各ウインドウ表示ＷＤ１〜ＷＤ３で提示される１以上の要素は、要素組合情報テーブル３４３（又は一部ネットワーク情報）において基準表示要素に対応する要素と関連付けられた１以上の要素である。
【０１８０】
より詳細には、例えば、ウインドウ表示ＷＤ１では、複数の従属要素表示要素（ここでは語句）Ｆ１に含まれる基準表示要素「Ｔ１」Ｆ１１と、項目「部位」に属し且つ複数の従属要素表示要素（ここでは語句）Ｆ２に含まれる従属要素表示要素「脳室」Ｆ２１、「前頭葉」Ｆ２２とが、関連表示要素（ここでは実線）によって関連付けられて示される。ウインドウ表示ＷＤ２では、基準表示要素「Ｔ１」Ｆ１１と、項目「所見」に属し且つ複数の従属要素表示要素（ここでは語句）Ｆ３に含まれる従属要素表示要素「高信号」Ｆ３１、「腫瘤影」Ｆ３４とが、関連表示要素（ここでは実線）によって関連付けられて示される。ウインドウ表示ＷＤ３では、基準表示要素「Ｔ１」Ｆ１１と、項目「疾患名」に属し且つ複数の従属要素表示要素（ここでは語句）Ｆ４に含まれる従属要素表示要素「腫瘍」Ｆ４１、「梗塞」Ｆ４３とが、関連表示要素（ここでは実線）によって関連付けられて示される。そして、ウインドウ表示ＷＤ１〜ＷＤ３は、一覧表示ＮＶにおける項目表示要素の表示順（ここでは、「部位」「所見」「疾患名」の順）と合わせて左方から右方に向けて空間順次に並べて表示される。
【０１８１】
ここでは、ウインドウ表示ＷＤ２，ＷＤ３により、設定項目順序情報で示される設定された項目の順序において、基準表示要素が示す要素が属する項目とは隣り合わない順序の項目（非隣接項目）に属する１以上の要素を各々示す１以上の従属要素表示要素が個別に示される。そして、ウインドウ表示ＷＤ１〜ＷＤ３は、設定項目順序情報で示される設定された項目の順序に従って、左方から右方に向けて空間順次に並べられて表示される。このため、非隣接項目を示す項目表示要素（非隣接項目表示要素）との関連が可視的に認識可能な態様で、１以上の従属要素表示要素が含まれるウインドウ表示ＷＤ２，ＷＤ３が列挙される。以下、項目毎に１つの基準表示要素と１以上の従属表示要素とが関連付けられて表示された各ウインドウ表示ＷＤ１〜ＷＤ３を、適宜「要素個別表示」とも称する。
【０１８２】
ここでは、非隣接項目が複数（具体的には２つ）存在しているため、ウインドウ表示ＷＤ１〜ＷＤ３、特にウインドウ表示ＷＤ２，ＷＤ３の存在により、ユーザーは、一覧表示ＮＶでは隣接しない項目間における要素間の関連を容易に把握することができる。
【０１８３】
そして、入力支援テンプレート表示ＴＰ２ｂにおいて、４項目「撮影条件」「部位」「所見」「疾患名」の各項目に対し、複数の語句から１つの語句にマウスポインタＭＰを合わせて左クリックすることで、新規な所見文を構成する各項目に対応する語句を指定することができる。この語句の指定については、上記第１実施形態と同様に、一覧表示ＮＶにおいて各項目に対し、１つの語句にマウスポインタＭＰを合わせて左クリックすることによって実現される。更に、ここでは、各ウインドウ表示ＷＤ１〜ＷＤ３において各項目に対し、１つの語句にマウスポインタＭＰを合わせて左クリックすることによっても実現される。なお、各項目に対して、２以上の語句を指定するような態様を採用しても良い。
【０１８４】
このように、ユーザーである読影医が操作部３２を種々操作することで、各ウインドウ表示ＷＤ１〜ＷＤ３において、１以上の従属要素表示要素のうちの少なくとも１つの従属要素表示要素が選択される。そして、各項目に対して選択された少なくとも１つの従属要素表示要素が示す要素（ここでは、語句）が、文章モデルＭＤに沿った文章情報（ここでは所見文の情報）を構成する少なくとも１つの文章構成要素として指定される。
【０１８５】
なお、ユーザーである読影医は、入力支援テンプレート表示ＴＰ２ｂの下部に表示される文章モデルＭＤを参照しつつ、各項目に対応する語句を指定すれば良い。この文章モデルＭＤは、図２０で示した文章モデルＭＤと同様である。
【０１８６】
そして、例えば、支援情報検索部３１７及び表示制御部３１９により、複数のウインドウ表示ＷＤ１〜ＷＤ３のうちの１つのウインドウ表示において、１つの従属要素表示要素が選択されると、要素組合情報テーブル３４３（又は一部ネットワーク情報）に基づき、他のウインドウ表示においては、選択された１つの従属要素表示要素と関連しない従属要素表示要素が削除される。つまり、選択された１つの従属要素表示要素と関連する従属要素表示要素の表示が残る。
【０１８７】
より具体的には、例えば、ユーザーが操作部３２を種々操作することで、図２５で示す入力支援テンプレート表示ＴＰ２ｂにおいて、ウインドウ表示ＷＤ２に含まれる従属要素表示要素「高信号」Ｆ３１にマウスポインタＭＰが合わされて左クリックされると、従属要素表示要素「高信号」Ｆ３１が選択される。このとき、支援情報検索部３１７及び表示制御部３１９により、要素組合情報テーブル３４３が参照されて、要素「Ｔ１」と要素「高信号」との組合せを含む１以上の組合せ情報が認識される。次に、ウインドウ表示ＷＤ１〜ＷＤ３で示されていた従属要素表示要素Ｆ２１，２３，Ｆ３１，Ｆ３４，Ｆ４１，Ｆ４３のうち、認識された１以上の組合せ情報に含まれない要素を示す従属要素表示要素「前頭葉」Ｆ２３，「腫瘤影」Ｆ３４，「梗塞」Ｆ４３が認識される。そして、従属要素表示要素「前頭葉」Ｆ２３，「腫瘤影」Ｆ３４，「梗塞」Ｆ４３がウインドウ表示ＷＤ１〜ＷＤ３からそれぞれ削除されて、図２６で示すようなウインドウ表示ＷＤ１１〜ＷＤ１３となる。なお、図２６では、ウインドウ表示ＷＤ１１〜ＷＤ１３を含む入力支援テンプレート表示が入力支援テンプレート表示ＴＰ２ｃとして示されている。
【０１８８】
例えば、複数のウインドウ表示ＷＤ１〜ＷＤ３のうちの１つのウインドウ表示ＷＤ２で従属要素表示要素が選択されると、他の別のウインドウ表示ＷＤ１，ＷＤ３で示される従属要素表示要素が絞り込まれる。このため、ユーザーである読影医は、更に過去の知識を利用しつつ適正な文章を作成することができる。
【０１８９】
このような入力支援テンプレート表示ＴＰ２ｂにおいて、第１実施形態と同様に、各項目に対して語句が指定されると、各語句は、文章モデルＭＤの空白欄Ｗ１〜Ｗ４に充当される。そして、文章モデルＭＤの空白欄Ｗ１〜Ｗ４にそれぞれ語句が充当されている状態で、操作部３２が適宜操作され、コマンド入力領域Ａ８のコマンド「所見登録」が指定されると、レポート構成部３２０により、文章モデルＭＤの空白欄Ｗ１〜Ｗ４に充当されている語句が、所定の文章モデルＭＤに沿った各項目に係る文章構成要素として指定される。このとき、レポート構成部３２０により、文章モデルＭＤと、各項目に対して指定された文章構成要素とに基づいて、新規な所見文が生成ならびに登録されて、所見表示領域Ａ５に所見文が表示される。
【０１９０】
このとき、第１実施形態と同様に、新規に生成された所見文の情報がデータ書込部３２１によって、診療情報ＤＢ３４１に追加登録される。より詳細には、自然文で構成される所見文を示す情報が生成されて、診療情報ＤＢ３４１に追加登録される。つまり、所定の文章モデルＭＤに沿った新規な所見文を含む新規読影レポート情報が生成される。また、第１実施形態と同様に、各項目に対して２以上の文章構成要素を指定する等、少なくとも１以上の文章構成要素を指定するようにしても良い。
【０１９１】
このように、第１実施形態と同様に、端末１０Ｂ〜３０Ｂにおいて、一部ネットワーク情報の一覧表示ＮＶが可視的に表示された状態で、ユーザーが操作部３２を操作することにより、一覧表示ＮＶに含まれる各項目に対し、それぞれ１以上の要素を文章構成要素として指定することで、所定の文章モデルに沿った新規な所見文の情報が生成される。このため、読影レポートの作成が容易かつ適正に可能となる。
【０１９２】
なお、入力支援テンプレート表示ＴＰ２ｂ，ＴＰ２ｃにおいても、入力支援テンプレート表示ＴＰ２と同様に、読影医による１以上の語句（すなわち従属要素表示要素）の指定に応答して、指定された１以上の従属要素表示要素と、この１以上の従属要素表示要素とは異なる他の従属要素表示要素との関連を示す関連表示要素の表示態様が、残余の関連表示要素とは可視的に区別可能な態様に変更されても良い。例えば、図２２で示したように、ユーザーにとって要素間の関連がより把握し易くなるように、実線の太さを変更することで区別可能な態様とすれば良い。
【０１９３】
以上のように、第２実施形態に係る情報処理システム１Ｂでは、３以上の項目について所定の順番に沿って空間順次に隣接する項目間で従属要素表示要素間の関連を一覧表示ＮＶとして表示する。このとき、１つの従属要素表示要素が指定されると、その指定された従属要素表示要素が属する項目とは空間順次に隣接しない項目について、指定された要素と関連付けられた要素が一覧表示ＮＶとは別のウインドウ表示ＷＤ２，ＷＤ３で表示される。このため、３以上の項目に含まれた各項目間において、要素間の関連が分かり易く提示される。
【０１９４】
また、一覧表示ＮＶにおいて指定された１つの要素に対して、隣接し合わない順番の項目に属する要素であり、且つ一覧表示ＮＶにおいて指定された１つの要素に対して関連する要素が表示された状態で、ユーザーの選択操作により、各項目に対してそれぞれ１以上の要素が文章構成要素として指定され、所定の文章モデルに沿った新規な文章情報が生成される。このため、ユーザーは、文章の作成時に、３以上の項目に含まれる各項目間における要素間の関連を参照することで、容易かつ適正に文章を作成することができる。
【０１９５】
特に、ウインドウ表示ＷＤ１〜ＷＤ３においても、ユーザーの選択操作により、少なくとも１つの従属要素表示要素が示す要素が、所定の文章モデルに沿った新規な文章情報を構成する要素として指定される。このため、更に容易かつ適正に文章が作成される。
【０１９６】
なお、情報処理システム１Ｂでは、一覧表示ＮＶとウインドウ表示ＷＤ１〜ＷＤ３とが同じ表示部３２の別々のエリアに表示されたが、これに限られず、例えば、一覧表示ＮＶとウインドウ表示ＷＤ１〜ＷＤ３とが２以上の異なる表示部において別々に表示されるような態様であっても良い。
【０１９７】
＜変形例＞
以上、この発明の実施形態について説明したが、この発明は上記説明した内容のものに限定されるものではない。
【０１９８】
◎例えば、上記第１実施形態では、記憶部３４に記憶される順序文章モデル情報３４４が、第１順序情報と第１文章モデルとの組合せ、及び第２順序情報と第２文章モデルとの組合せを示す情報を含んでいたが、これに限られず、他の順序情報と他の文章モデルとの組合せを示す情報も適宜含まれても良い。
【０１９９】
ここで、順序情報と文章モデルのバリエーションについて更に具体例を挙げて説明する。図２７及び図２８は、順序情報と文章モデルの各種バリエーションに対応する入力支援テンプレート表示ＴＰ２１，ＴＰ２２を例示する図である。
【０２００】
図２７では、設定項目順序情報が示す項目の順序が「所見」「撮影条件」「部位」「疾患名」であり、文章モデルが、「［空白欄］を、［空白欄］にて、［空白欄］に認め、［空白欄］と思われる。」である場合に提示される入力支援テンプレート表示ＴＰ２１が示されている。ここでは、文章モデルの１番目の空白欄に項目「所見」に属する要素が充当され、２番目の空白欄に項目「撮影条件」に属する要素が充当され、３番目の空白欄に項目「部位」に属する要素が充当され、４番目の空白欄に項目「疾患名」に属する要素が充当される。なお、図２７では、４項目「所見」「撮影条件」「部位」「疾患名」に対し、４つの語句「高信号」「Ｔ１」「前頭葉」「梗塞」が指定され、指定された語句を示す従属要素表示要素の濃淡が反転された状態で示されている。この状態で、コマンド入力領域Ａ８のコマンド「所見登録」が指定されると、「高信号をＴ１にて前頭葉に認め、梗塞と思われる。」という所見文が作成される。
【０２０１】
図２８では、設定項目順序情報が示す項目の順序が「部位」「撮影条件」「所見」「疾患名」であり、文章モデルが、「［空白欄］に［空白欄］にて［空白欄］を認め、［空白欄］と思われる。」である場合に提示される入力支援テンプレート表示ＴＰ２２が示されている。ここでは、文章モデルの１番目の空白欄に項目「部位」に属する要素が充当され、２番目の空白欄に項目「撮影条件」に属する要素が充当され、３番目の空白欄に項目「所見」に属する要素が充当され、４番目の空白欄に項目「疾患名」に属する要素が充当される。なお、図２８では、４項目「部位」「撮影条件」「所見」「疾患名」に対し、４つの語句「前頭葉」「Ｔ１」「高信号」「梗塞」が指定され、指定された語句を示す従属要素表示要素の濃淡が反転された状態で示されている。この状態で、コマンド入力領域Ａ８のコマンド「所見登録」が指定されると、「前頭葉にＴ１にて高信号を認め、梗塞と思われる。」という所見文が作成される。
【０２０２】
このように、空間順次に隣接する項目の順序が入れ換えられると、文章モデルにおける項目の順序も入れ替わるため、ユーザーにとって、文章の状態を容易に想定可能な態様で、３以上の項目に含まれる各項目間における要素間の関連が分かり易く表示される。
【０２０３】
◎また、上記第１実施形態では、文章モデルを構成する複数の要素の項目の順序が、設定順序情報で示される項目の順序と一致していたが、これに限られず、例えば、設定順序情報で示される最初の順序の項目に属する要素が、他の２番目以降の順序の項目に属する要素よりも強調されたような文章モデル等、その他の構成を有する文章モデルが採用されても良い。
【０２０４】
例えば、記憶部３４に記憶される順序文章モデル情報３４４が、所定の順序情報と、所定の順序情報で示される最初の順序の項目に属する要素が、他の順序の項目に属する要素よりも強調される文章モデル（以下「先頭要素強調文章モデル」とも称する）との組合せを示す情報を含んでいても良い。以下、具体的な例を２つ挙げて説明する。
【０２０５】
○具体例１：
設定項目順序情報が示す項目の順序が「部位」「撮影条件」「所見」「疾患名」であり、文章モデルが「［空白欄］にて［空白欄］が見られるのは［空白欄］である。［空白欄］と思われる。」であり、文章モデルの１番目の空白欄に項目「撮影条件」に属する要素が充当され、２番目の空白欄に項目「所見」に属する要素が充当され、３番目の空白欄に項目「部位」に属する要素が充当され、４番目の空白欄に項目「疾患名」に属する要素が充当される。このような場合には、例えば、「Ｔ１にて高信号が見られるのは前頭葉である。梗塞と思われる。」という所見文が作成され、所定の順序情報で示される最初の順序の項目に属する要素が相対的に強調された所見文となる。
【０２０６】
○具体例２：
設定項目順序情報が示す項目の順序が「所見」「撮影条件」「部位」「疾患名」であり、文章モデルが「［空白欄］にて［空白欄］に見られるのは［空白欄］である。［空白欄］と思われる。」であり、文章モデルの１番目の空白欄に項目「撮影条件」に属する要素が充当され、２番目の空白欄に項目「部位」に属する要素が充当され、３番目の空白欄に項目「所見」に属する要素が充当され、４番目の空白欄に項目「疾患名」に属する要素が充当される。このような場合には、例えば、「Ｔ１にて前頭葉に見られるのは高信号である。梗塞と思われる。」という所見文が作成され、所定の順序情報で示される最初の順序の項目に属する要素が相対的に強調された所見文となる。
【０２０７】
なお、上記では、順序文章モデル情報３４４において、先頭要素強調文章モデルを、所定の順序情報と組み合わせて記憶するものとして説明したが、この記憶態様としては、所定の順序情報と一対一で組み合わせるような態様が考えられる。また、他の記憶態様としては、所定の順序情報に対して、所定の順序情報で示される最初の順序の項目に属する要素が、他の順序の項目に属する要素よりも強調されない文章モデル（以下「先頭要素非強調文章モデル」とも称する）と先頭要素強調文章モデルの双方を組み合わせる態様も考えられる。
【０２０８】
１つの順序情報に対して相互に異なる２つの文章モデル（具体的には、先頭要素非強調文章モデルと先頭要素強調文章モデル）が組み合わされている場合には、その１つの順序情報が設定項目順序情報とされた際に、原則として先頭要素非強調文章モデルを示す情報がデフォルトの選択文章モデル情報として採用され、ユーザーによる操作部３２の所定操作に応答して、先頭要素強調文章モデルを示す情報が選択文章モデル情報として採用されるようにしても良い。ここで言う所定操作としては、例えば、図２７で示す入力支援テンプレート表示ＴＰ２１に設けられた所定のボタン「最初の語句を強調」ＦＳＢをマウスポインタＭＰを用いて押下するような操作を挙げることができる。このような所定操作に応答して、例えば、入力支援テンプレート表示ＴＰ２１における所定のボタン「最初の語句を強調」ＦＳＢの押下に応答して、設定変更部３２２により、設定情報３４５に含まれる選択文章モデル情報が先頭要素非強調文章モデルから先頭要素強調文章モデルに書き換えられる。
【０２０９】
なお、第２実施形態においても、文章モデルとして、先頭要素強調文章モデルを採用するようにしても良いし、先頭要素非強調文章モデルと先頭要素強調文章モデルとの間で適宜変更可能としても良い。
【０２１０】
このように、最初の順序の項目に属する要素が、他の順序の項目に属する要素よりも強調される先頭要素強調文章モデルを採用すると、微妙な文章表現の違いが表わされる。
【０２１１】
◎また、上記実施形態では、入力支援テンプレート表示において４項目に係る複数の要素が列挙される例を示して説明したが、これに限られず、項目数は３以上であれば、いくつでも構わない。
【０２１２】
◎また、上記実施形態で示した文章モデルでは、結語が固定されていたが、これに限られず、例えば、結語については複数の選択肢（例えば「認める」「認めない」等）から１つの語句を選択できるようにしても良いし、形容詞や副詞といった自然文を構成する他の語句についても選択的に指定することができるようにしても良い。
【０２１３】
◎また、上記実施形態では、入力支援テンプレート表示で指定された要素等に基づいて、直接的に単レポート構造化情報が生成されたが、診療情報ＤＢ３４１に対して新規に入力された自然文である所見文等を用いて、関連情報生成機能により単レポート構造化情報を生成するようにしても良い。但し、指定された要素等に基づいて、直接的に単レポート構造化情報が生成される方が演算量が低減されるため、好ましい。
【０２１４】
◎また、上記実施形態では、放射線を用いて得られた画像を読影して読影レポートを作成するシステムを例にとって説明したが、これに限られず、例えば、看護レポートやインシデントレポート等といったその他の医療用の文書を作成するシステムについても本発明を適用することができる。更に、例えば、営業レポート等といった医療以外の分野のレポートの作成についても本発明を適用することができ、更にレポート以外の分野についても本発明を適用することができる。
【０２１５】
ここで、図２９及び図３０を参照しつつ、営業レポートを作成する際に、入力支援テンプレート表示上において、項目の表示順を入れ換える具体例を挙げて説明する。
【０２１６】
図２９では、設定項目順序情報が示す項目の順序が「担当者」「顧客」「商品」「値引率」であり、文章モデルが、「［空白欄］が［空白欄］から［空白欄］を［空白欄］で受注した。」である場合に提示される入力支援テンプレート表示ＴＰ２３が示されている。ここでは、文章モデルの１番目の空白欄に項目「担当者」に属する要素が充当され、２番目の空白欄に項目「顧客」に属する要素が充当され、３番目の空白欄に項目「商品」に属する要素が充当され、４番目の空白欄に項目「値引率」に属する要素が充当される。なお、図２９では、４項目「担当者」「顧客」「商品」「値引率」に対し、４つの語句「鈴木」「Ｃ社」「ＦＡＸ」「２０％引」が指定され、指定された語句を示す従属要素表示要素の濃淡が反転された状態で示されている。この状態で、コマンド「所見登録」が指定されると、「鈴木がＣ社からＦＡＸを２０％引きで受注した。」という所見文が作成される。
【０２１７】
図３０では、設定項目順序情報が示す項目の順序が「顧客」「商品」「担当者」「値引率」であり、文章モデルが、「［空白欄］から［空白欄］を［空白欄］が［空白欄］で受注した。」である場合に提示される入力支援テンプレート表示ＴＰ２４が示されている。ここでは、文章モデルの１番目の空白欄に項目「顧客」に属する要素が充当され、２番目の空白欄に項目「商品」に属する要素が充当され、３番目の空白欄に項目「担当者」に属する要素が充当され、４番目の空白欄に項目「値引率」に属する要素が充当される。なお、図３０では、４項目「顧客」「商品」「担当者」「値引率」に対し、４つの語句「Ｃ社」「ＦＡＸ」「鈴木」「２０％引」が指定され、指定された語句を示す従属要素表示要素の濃淡が反転された状態で示されている。この状態で、コマンド「所見登録」が指定されると、「Ｃ社からＦＡＸを鈴木が２０％引きで受注した。」という所見文が作成される。このような態様では、担当者の得意とする商品や付き合いの深い顧客等の情報を容易に把握することが可能となる。
【０２１８】
◎また、上記実施形態では、読影レポートの所見文が、「Ｔ２にて前頭葉に高信号を認め、梗塞を疑う。」といった自然文の形式であったが、これに限られず、例えば、所見文の形式が、「撮影条件：Ｔ２」「部位：前頭葉」「所見：高信号」「疾患名：梗塞」等といった予め属性項目毎に要素が関連付けられて構造化されたような形式であっても良い。このような所見文の形式を採用した場合には、端末１０〜３０（１０Ｂ〜３０Ｂ）における関連情報生成機能が不要となるため、情報処理システム１Ａ，１Ｂの機能構成の簡略化、ならびに情報処理に要する時間の低減等を図ることができる。
【０２１９】
◎また、上記実施形態では、４つの機能（関連情報生成機能、支援情報生成機能、情報配信機能、及び入力支援機能）のうち、関連情報生成機能と入力支援機能とが端末１０〜３０（１０Ｂ〜３０Ｂ）に備わり、支援情報生成機能と情報配信機能とがサーバ１００に備わっていたが、これに限られず、４つの機能（関連情報生成機能、支援情報生成機能、情報配信機能、及び入力支援機能）を、サーバ１００と端末１０〜３０（１０Ｂ〜３０Ｂ）とに適宜分けて持たせても良い。更に、１台の機器に４つの機能（関連情報生成機能、支援情報生成機能、情報配信機能、及び入力支援機能）を持たせても良い。このような場合には、１台の機器で１つのプログラムを実行することで、４つの機能が実現される。
【０２２０】
◎また、上記実施形態では、一部ネットワーク情報の一覧表示を入力支援テンプレート表示において提示したが、項目の数が少ない場合には、全体ネットワーク情報の一覧表示を入力支援テンプレート表示において提示しても良い。
【図面の簡単な説明】
【０２２１】
【図１】本発明の実施形態に係る情報処理システムの概略構成を示す図である。
【図２】端末で新規な読影レポートを記述及び入力する状態を例示する図である。
【図３】関連情報生成機能に係る機能構成を示すブロック図である。
【図４】ＲＤＦで記述された単レポート構造化情報を例示する図である。
【図５】単レポート構造化情報の生成動作フローを示すフローチャートである。
【図６】支援情報生成機能に係る機能構成を示すブロック図である。
【図７】支援情報ＤＢのデータ構成を示す図である。
【図８】支援情報の生成動作フローを示すフローチャートである。
【図９】情報配信機能に係る機能構成を示すブロック図である。
【図１０】情報配信機能に係る動作フローを示すフローチャートである。
【図１１】入力支援機能に係る機能構成を示すブロック図である。
【図１２】読影レポート入力画面を例示する図である。
【図１３】検査リスト情報の可視的な出力を示す図である。
【図１４】オーダーリング情報の可視的な出力を示す図である。
【図１５】患者属性及び検査属性に係る属性情報の可視的な出力を示す図である。
【図１６】一部ネットワーク情報の可視的な出力を示す図である。
【図１７】抽出条件決定テンプレート表示を例示する図である。
【図１８】要素組合情報テーブルのデータ構成を示す図である。
【図１９】表示対象の情報の絞り込み動作フローを示すフローチャートである。
【図２０】入力支援テンプレート表示の表示例を示す図である。
【図２１】入力支援テンプレート表示の表示例を示す図である。
【図２２】表示態様が変更された入力支援テンプレート表示を例示する図である。
【図２３】項目表示順が変更された入力支援テンプレート表示例を示す図である。
【図２４】入力支援機能に係る機能構成を示すブロック図である。
【図２５】入力支援テンプレート表示の表示例を示す図である。
【図２６】入力支援テンプレート表示の表示例を示す図である。
【図２７】変形例に係る入力支援テンプレート表示を例示する図である。
【図２８】変形例に係る入力支援テンプレート表示を例示する図である。
【図２９】変形例に係る入力支援テンプレート表示を例示する図である。
【図３０】変形例に係る入力支援テンプレート表示を例示する図である。
【符号の説明】
【０２２２】
１Ａ，１Ｂ  情報処理システム
１０〜３０，１０Ｂ〜３０Ｂ  端末
３１，３１Ｂ  制御部
３２  操作部
３３  表示部
３４  記憶部
１００  サーバ
１１０  サーバ制御部
１１１  送受信部
１１２  統合ＤＢ構築部
１１５  支援ＤＢ構築部
１２０  記憶部
１２１  統合ＤＢ
１２２  支援情報ＤＢ
３１１  データ読込部
３１２  自然文構造化部
３１３  機械学習部
３１５  識別部
３１６  送受信部
３１７  支援情報検索部
３１８  タスク管理部
３１９  表示制御部
３２０  レポート構成部
３２１  データ書込部
３２２  設定変更部
３４１  診療情報ＤＢ
３４２  支援情報ＤＢ
３４３  要素組合情報テーブル
３４４  順序文章モデル情報
３４４Ｂ  文章モデル情報
３４５  設定情報
【図１】
2008269041.tif 000003
【図２】
2008269041.tif 000004
【図３】
2008269041.tif 000005
【図４】
2008269041.tif 000006
【図５】
2008269041.tif 000007
【図６】
2008269041.tif 000008
【図７】
2008269041.tif 000009
【図８】
2008269041.tif 000010
【図９】
2008269041.tif 000011
【図１０】
2008269041.tif 000012
【図１１】
2008269041.tif 000013
【図１２】
2008269041.tif 000014
【図１３】
2008269041.tif 000015
【図１４】
2008269041.tif 000016
【図１５】
2008269041.tif 000017
【図１６】
2008269041.tif 000018
【図１７】
2008269041.tif 000019
【図１８】
2008269041.tif 000020
【図１９】
2008269041.tif 000021
【図２０】
2008269041.tif 000022
【図２１】
2008269041.tif 000023
【図２２】
2008269041.tif 000024
【図２３】
2008269041.tif 000025
【図２４】
2008269041.tif 000026
【図２５】
2008269041.tif 000027
【図２６】
2008269041.tif 000028
【図２７】
2008269041.tif 000029
【図２８】
2008269041.tif 000030
【図２９】
2008269041.tif 000031
【図３０】
2008269041.tif 000032